(57)【要約】  式（Ｉ）のナフタロシアニン染料が提供され、  式中、  Ｍは金属基、又は存在せず、  Ｒ１及びＲ２は独立に水素又はＣ１〜１２のアルコキシから選択され、  ＸはＯ、Ｓ又はＮＨ−から選択され、  Ａｒ１、Ａｒ２、Ａｒ３、Ａｒ４、Ａｒ５、Ａｒ６、Ａｒ７及びＡｒ８は、フェニル、ナフチル、ピリジル、フラニル、ピロリル、チオフェニルから選択され、Ａｒ１、Ａｒ２、Ａｒ３、Ａｒ４、Ａｒ５、Ａｒ６、Ａｒ７及びＡｒ８の各々は、任意選択で１個、２個、３個、４個又は５個の基で置換され、前記基又は各基は独立に、Ｃ１〜１２アルキル、Ｃ１〜１２のアルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＮＨＣ（Ｏ）Ｒｖ、−ＣＯＮＲｕＲｖ、−ＣＯＮＲｕＲｖ、スルホン酸、スルホン酸塩及びスルホンアミドから選択され、  ｄは２〜５０００の整数であり、  ＲｄはＨ、Ｃ１〜８アルキル又はＣ（Ｏ）Ｃ１〜８アルキルであり、  Ｒｕ及びＲｖは独立に、水素、Ｃ１〜１２アルキル、フェニル又はフェニル−Ｃ１〜８アルキルから選択される。  このタイプの染料は、ネットページ及びＨｙｐｅｒｌａｂｅｌ（登録商標）システムでの使用に特に適切である。2009500460.tif 000017
2009500460.tif 000002
【特許請求の範囲】
【請求項１】
式（Ｉ）：
【化１】
2009500460.tif 000014
（式中、
Ｍは金属基であるか、又は存在せず、
Ｒ１及びＲ２は独立に水素又はＣ１〜１２のアルコキシから選択され、
ＸはＯ、Ｓ又は−ＮＨ−から選択され、
Ａｒ１、Ａｒ２、Ａｒ３、Ａｒ４、Ａｒ５、Ａｒ６、Ａｒ７及びＡｒ８は、フェニル、ナフチル、ピリジル、フラニル、ピロリル、チオフェニルから選択され、Ａｒ１、Ａｒ２、Ａｒ３、Ａｒ４、Ａｒ５、Ａｒ６、Ａｒ７及びＡｒ８の各々は、１個、２個、３個、４個又は５個の基で任意選択で置換され、前記基又は各基は独立に、Ｃ１〜１２アルキル、Ｃ１〜１２アルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＮＨＣ（Ｏ）Ｒｖ、−ＣＯＮＲｕＲｖ、−ＣＯＮＲｕＲｖ、スルホン酸、スルホン酸塩及びスルホンアミドから選択され、
ｄは２〜５０００の整数であり、
ＲｄはＨ、Ｃ１〜８アルキル又はＣ（Ｏ）Ｃ１〜８アルキルであり、
Ｒｕ及びＲｖは独立に、水素、Ｃ１〜１２アルキル、フェニル又はフェニル−Ｃ１〜８アルキルから選択される）のナフタロシアニン染料。
【請求項２】
Ａｒ１、Ａｒ２、Ａｒ３、Ａｒ４、Ａｒ５、Ａｒ６、Ａｒ７及びＡｒ８のうち少なくとも１つが、スルホン酸、スルホン酸塩又はスルホンアミド基で置換される、請求項１に記載の染料。
【請求項３】
Ａｒ１、Ａｒ２、Ａｒ３、Ａｒ４、Ａｒ５、Ａｒ６、Ａｒ７及びＡｒ８のうち少なくとも１つが、スルホンアミド基又は−ＳＯ３Ｚ
（式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択される）で置換されている、請求項１に記載の染料。
【請求項４】
前記スルホンアミド基が式−ＳＯ２ＮＲｐＲｑ
（式中、
Ｒｐ及びＲｑは独立に、Ｈ、Ｃ１〜８アルキル、Ｃ６〜１２アリールアルキル、Ｃ６〜１２アリール又は−（ＣＨ２ＣＨ２Ｏ）ｅＲｅから選択され、
ｅは２〜５０００の整数であり、
ＲｅはＨ、Ｃ１〜８アルキル又はＣ（Ｏ）Ｃ１〜８アルキルである）である、請求項１に記載の染料。
【請求項５】
Ａｒ１、Ａｒ２、Ａｒ３、Ａｒ４、Ａｒ５、Ａｒ６、Ａｒ７及びＡｒ８の各々が、スルホン酸、スルホン酸塩又はスルホンアミド基で置換される、請求項１に記載の染料。
【請求項６】
式（ＩＩＩ）：
【化２】
2009500460.tif 000015
（式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択される）である、請求項５に記載の染料。
【請求項７】
各−ＳＯ３Ｚ基がパラ位にある、請求項６に記載の染料。
【請求項８】
式（ＩＶ）：
【化３】
2009500460.tif 000016
（式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択され、
Ｒ３は、Ｃ１〜１２アルキル、Ｃ１〜１２のアルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＮＨＣ（Ｏ）Ｒｖ、−ＣＯＮＲｕＲｖ又は−ＣＯＮＲｕＲｖから選択される）である、請求項１に記載の染料。
【請求項９】
Ｒ３が、Ｃ１〜６アルキル又はＣ１〜６のアルコキシである、請求項８に記載の染料。
【請求項１０】
ＭがＳｎＣｌ２、Ｃｕ、Ｖ＝Ｏ又はＧａ（ＯＨ）である、請求項１に記載の染料。
【請求項１１】
請求項１に記載の染料を含むインクジェットインク。
【請求項１２】
請求項１１に記載のインクジェットインクを含む少なくとも１つのインクつぼと流体連通するプリントヘッドを備えるインクジェットプリンタ。
【請求項１３】
複数のノズルと、
前記ノズルの各々にそれぞれ対応する気泡形成室であって、噴出可能な液体を含むようになされた気泡形成室と、
前記気泡形成室の各々にそれぞれ配置される加熱要素であって、前記噴出可能な液体との熱接触用に構成された加熱要素とを備えるインクジェットプリンタであって、
前記噴出可能な液体の沸点よりも高い温度に前記加熱要素を加熱することにより、前記噴出可能な液体の滴を前記ノズルから噴出させる気泡が形成され、
使用中前記加熱要素の少なくとも一部が前記噴出可能な液体によって取り囲まれ、前記噴出可能な液体と直接接触するように、前記加熱要素が前記インク室内につるされている、請求項１２に記載のインクジェットプリンタ。
【請求項１４】
請求項１１に記載のインクジェットインクを含む、インクジェットプリンタ用のインクカートリッジ。
【請求項１５】
請求項１の染料がその上に配置された基板。
【請求項１６】
人間可読情報と機械可読コード化データとを含む印刷された書式を介して、コンピュータシステムへのデータ入力を可能にする方法であって、前記コード化データが前記書式の身元と、前記書式の複数の基準点とを示し、
前記コンピュータシステムにおいて、センシング装置から、前記書式の前記身元及び前記書式に対する前記センシング装置の位置に関する指標データを受信するステップであって、前記センシング装置が、前記書式に対して作動可能な位置に設置された場合、前記コード化データの少なくとも一部を用いて前記指標データを生成するステップと、
前記コンピュータシステムにおいて、前記指標データから、前記書式の少なくとも１つのフィールドを認識するステップと、
前記コンピュータシステムにおいて、前記指標データの少なくとも一部を、それが前記少なくとも１つのフィールドに関するときに解釈するステップとを含む方法であって、
前記コード化データが、請求項１に記載の赤外線吸収染料を含む方法。
【請求項１７】
人間可読情報と機械可読コード化データとを含む印刷された書式を介して、コンピュータシステムへのデータ入力を可能にする方法であって、前記コード化データが前記書式の少なくとも１つのフィールドを示し、
前記コンピュータシステムにおいて、センシング装置から、前記少なくとも１つのフィールドに関し、且つ前記書式に対する前記センシング装置の動きに関する動きデータを含む指標データを受信するステップであって、前記センシング装置が、前記書式に対して移動した場合、前記コード化データの少なくとも一部を用いて前記少なくとも１つのフィールドに関する前記データを生成し、且つ前記書式に対する前記センシング装置それ自体の動きに関する前記データを生成するステップと、
前記コンピュータシステムにおいて、前記指標データの少なくとも一部を、それが前記少なくとも１つのフィールドに関するときに解釈するステップとを含む方法であって、
前記コード化データが、請求項１に記載の赤外線吸収染料を含む方法。
【請求項１８】
人間可読情報と機械可読コード化データとを含む印刷された表面を有する製品品目を介して、コンピュータシステムへのデータ入力を可能にする方法であって、前記コード化データが前記製品品目の身元を示し、
（ａ）前記コンピュータシステムにおいて、センシング装置から、前記製品品目の前記身元に関する指標データを受信するステップであって、前記センシング装置が、前記製品品目に対して作動可能な位置に設置された場合、前記コード化データの少なくとも一部を用いて前記指標データを生成するステップと、
（ｂ）前記コンピュータシステムにおいて、前記指標データを用いて、前記製品品目に関する情報を記録するステップとを含む方法であって、
前記コード化データが、請求項１に記載の赤外線吸収染料を含む方法。
【請求項１９】
人間可読情報と機械可読コード化データとを含む印刷された表面を有する製品品目を介して、コンピュータシステムからのデータの取出しを可能にする方法であって、前記コード化データが前記製品品目の身元を示し、
（ａ）前記コンピュータシステムにおいて、センシング装置から、前記製品品目の前記身元に関する指標データを受信するステップであって、前記センシング装置が、前記製品品目に対して作動可能な位置に設置された場合、前記コード化データの少なくとも一部を用いて前記指標データを生成するステップと、
（ｂ）前記コンピュータシステムにおいて、前記指標データを用いて、前記製品品目に関する情報を取り出すステップと、
（ｃ）前記コンピュータシステムから出力装置へ前記製品品目に関する情報を出力するステップであって、前記出力装置が表示装置及び印刷装置を含む群から選択されるステップとを含む方法であって、
前記コード化データが、請求項１に記載の赤外線吸収染料を含む方法。
【発明の詳細な説明】
【発明の詳細な説明】
【０００１】
［発明の分野］
本願は、合成によって高収率に入手しやすく、水性インクベースに分散性である赤方偏移近赤外染料に関する。本願は、主として、水溶性を向上させる又は分子間相互作用を抑制するのに適した、より優れた機能性を有する染料を提供するために開発された。
【０００２】
［発明の背景］
赤外線吸収染料には、光学的記録システム、熱書込み型ディスプレイ、レーザフィルタ、赤外線写真、医学的用途、印刷など多くの用途がある。通常、これらの用途で使用される染料は、半導体レーザの発光波長（たとえば、約７００〜２０００ｎｍ、好ましくは約７００〜１０００ｎｍ）で近赤外線の強い吸収を示すことが望ましい。光学記録技術においては、たとえば、ガリウムアルミニウムヒ素（ＧａＡｌＡｓ）及びリン化インジウム（ＩｎＰ）ダイオードレーザが、光源として広く使用されている。
【０００３】
赤外染料の別の重要な用途は、印刷インクなどのインクにおいてである。印刷した形のデジタル情報の格納及び取出しは特に重要である。この技術の身近な例は、印刷された走査可能なバーコードの使用である。バーコードは通常、特定の製品に関係するタグ又はラベル上に印刷され、身元、価格等その製品に関する情報を含む。バーコードは通常、可視ブラックインクの線で印刷され、スキャナからの可視光を用いて検出される。スキャナは通常、ＬＥＤ又はレーザ（たとえば、６３３ｎｍの光を放出するＨｅＮｅレーザ）光源と、反射光を検出するための光電池とを備える。バーコードインクでの使用に適したブラック染料は、たとえば、国際公開第０３／０７４６１３号パンフレットに記載されている。
【０００４】
しかしながら、この技術の他の用途（たとえば、安全タグ付け）では、肉眼では見えないが紫外光又は赤外光で検出することができるインクで印刷されたバーコード又は他のわかりやすいマーキングを有することが望ましい。
【０００５】
検出可能な不可視インクの特に重要な用途は、自動識別システム、特に「ネットページ」及び「Ｈｙｐｅｒｌａｂｅｌ（登録商標）」システムにおいてである。ネットページシステムは、そのすべてが参照により本明細書中に組み込まれる以下の特許出願に記載されている。
【０００６】
［相互参照］
本発明に関連する様々な方法、システム及び装置が、本発明の出願人又は譲受人による以下の同時係属出願に開示されている。
10/409,876  10/409,848  10/409,845  09/575,197  09/575,195
09/575,159  09/575,132  09/575,123  09/575,148  09/575,130
09/575,165  09/575,153  09/693,415  09/575,118  09/609,139
09/608,970  09/575,116  09/575,144  09/575,139  09/575,186
09/575,185  09/609,039  09/663,579  09/663,599  09/607,852
09/575,191  09/693,219  09/575,145  9/607,656  09/693,280
09/609/132  09/693,515  09/663,701  09/575,192  09/663,640
09/609,303  09/610,095  09/609,596  09/693,705  09/693,647
09/721,895  09/721,894  09/607,843  09/693,690  09/607,605
09/608,178  09/609,553  09/609,233  09/609,149  09/608,022
09/575,181  09/722,174  09/721,896  10/291,522  10/291,517
10/291,523  10/291,471  10/291,470  10/291,819  10/291,481
10/291,509  10/291,825  10/291,519  10/291,575  10/291,557
10/291,661  10/291,558  10/291,587  10/291,818  10/291,576
10/291,589  10/291,526  6,644,545    6,609,653  6,651,879
10/291,555  10/291,510  19/291,592  10/291,542  10/291,820
10/291,516  10/291,363  10/291,487  10/291,520  10/291,521
10/291,556  10/291,821  10/291,525  10/291,586  10/291,822
10/291,524  10/291,553  10/291,511  10/291,585  10/291,374
10/685,523  10/685,583  10/685,455  10/685,584  10/757,600
09/575,193  09/575,156  09/609,232  09/607,844  09/607,657
09/693,593  10/743,671  09/928,055  09/927,684  09/928,108
09/927,685  09/927,809  09/575,183  09/575,160  09/575,150
09/575,169  6,644,642    6,502,614  6,622,999    09/575,149
10/322,450  6,549,935    09/575,187  09/575,155  6,591,884
6,439,706    09/575,196  09/575,198  09/722,148  09/722,146
09/721,861  6,290,349    6,428,155  09/575,146  09/608,920
09/721,892  09/722,171  09/721,858  09/722,142  10/171,987
10/202,021  10/291,724  10/291,512  10/291,554  10/659,027
10/659,026  09/693,301  09/575,174  09/575,163  09/693,216
09/693,341  09/693,473  09/722,087  09/722,141  09/722,175
09/722,147  09/575,168  09/722,172  09/693,514  09/721,893
09/722,088  10/291,578  10/291,823  10/291,560  10/291,366
10/291,503  10/291,469  10/274,817  09/575,154  09/575,129
09/575,124  09/575,188  09/721,862  10/120,441  10/291,577
10/291,718  10/291,719  10/291,543  10/291,494  10/292,608
10/291,715  10/291,559  10/291,660  10/409,864  10/309,358
10/410,484  10/683,151  10/683,040  09/575,189  09/575,162
09/575,172  09/575,170  09/575,171  09/575,161  10/291,716
10/291,547  10/291,538  10/291,717  10/291,827  10/291,548
10/291,714  10/291,544  10/291,541  10/291,584  10/291,579
10/291,824  10/291,713  10/291,545  10/291,546  09/693,388
09/693,704  09/693,510  09/693,336  09/693,335  10/181,496
10/274,119  10/309,185  10/309,066  10/778,090  10/778,056
10/778,058  10/778,060  10/778,059  10/778,063  10/778,062
10/778,061  10/778,057  10/782,894  10/782,895  10/786,631
10/793,933  10/804,034  10/815,621  10/815,612  10/815,630
10/815,637  10/815,637  10/815,640  10/815,642  10/815,643
10/815,644  10/815,618  10/815,639  10/815,635  10/815,647
10/815,634  10/815,632  10/815,631  10/815,648  10/815,641
10/815,645  10/815,646  10/815,617  10/815,620  10/815,615
10/815,613  10/815,633  10/815,619  10/815,616  10/815,614
10/815,636  10/815,649  10/815,609  10/815,627  10/815,626
10/815,610  10/815,611  10/815,623  10/815,622  10/815,629
10/815,625  10/815,624  10/815,628  10/831,232  10/831,242
10/846,895  6,889,896    10/853,782  10/853,379
【０００７】
これらの同時係属特許／特許出願すべての開示が、参照により本明細書中に組み込まれる。
【０００８】
一般に、ネットページシステムは、ネットページの生成及び人間のネットページとの相互作用を利用する。これらネットページは、普通紙に印刷されるテキスト、グラフィックス及び画像のページであるが、対話型ウェブページのように機能する。情報は、人間の肉眼では実質的には見えないインクを用いて各ページ上で符号化される。しかしながら、このインクは、またそれによりコード化データは、光学画像化ペンによって感知し、ネットページシステムに送信することができる。
【０００９】
各ページ上のアクティブボタン及びハイパーリンクをこのペンでクリックして、ネットワークからの情報を要求する又はネットワークサーバに好みを信号で伝えることができる。一部の形においては、ネットページ上の手書きのテキストを自動的に認識し、ネットページシステムでコンピュータテキストに変換することができ、それにより書式に記入することが可能となる。他の形においては、ネットページ上に記録された署名を自動的に照合することができ、それにより電子商取引を安全に承認することが可能となる。
【００１０】
ネットページは、その上にネットページネットワークが構築される基盤である。ネットページは、公表済み情報及び双方向サービスに対して紙ベースのユーザインターフェースを提供することができる。
【００１１】
ネットページは、ページのオンライン記述に関して不可視にタグ付けされた印刷ページ（又は他の表面領域）で構成される。オンラインページの記述は、ネットページサーバによって持続的に保持される。ページ記述には、テキスト、グラフィックス及び画像を含む、ページの可視レイアウト及び内容が記載されている。また、ページ記述には、ボタン、ハイパーリンク及び入力フィールドを含む、ページ上の入力エレメントも記載されている。ネットページにより、その表面にネットページペンで作成したマーキングを、ネットページシステムによって同時に捕らえ処理することを可能となる。
【００１２】
複数のネットページが同じページ記述を共有することができる。しかしながら、そうでなければ同一であるページを通じての入力を区別することを可能にするためには、各ネットページに固有のページ識別子が割り当てられる。このページＩＤは、非常に多くのネットページを区別するのに十分な精度を有する。
【００１３】
ページ記述についての各参照は、印刷されたタグ内で符号化される。このタグは、そのタグが載っている固有のページを識別し、それによりページ記述を間接的に識別する。またこのタグは、ページ上でのそれ自体の位置も認識する。
【００１４】
タグは、普通紙など赤外反射性の任意の基板上に赤外線吸収インクで印刷される。近赤外波長は人間の目には見えないが、適切なフィルタを有する固体画像センサによって容易に感知される。
【００１５】
タグはネットページペン内のエリアイメージセンサによって感知され、タグデータは最も近いネットページプリンタを介してネットページシステムに送信される。ペンは無線であり、短距離無線リンクを介してネットページプリンタと通信する。ページを１回クリックするだけでもペンが少なくとも１つのタグを確実に撮像することができるように、タグは十分に小さく、密に配列されている。ペンがページとの相互作用すべてについてページＩＤ及び位置を認識することが重要であり、というのは、相互作用はステートレスであるからである。タグは、表面損傷に対して部分的に耐性となるように、エラー補正可能に符号化される。
【００１６】
ネットページサーバは、各印刷ネットページについての固有のページインスタンスを保持し、それにより各印刷ネットページについてのページ記述における入力フィールドについて明確に異なる一組のユーザが供給した値を保持することが可能となる。
【００１７】
Ｈｙｐｅｒｌａｂｅｌ（登録商標）は、オーストラリアのＳｉｌｖｅｒｂｒｏｏｋ  Ｒｅｓｅａｒｃｈ  Ｐｔｙ  Ｌｔｄの登録商標である。一般に、Ｈｙｐｅｒｌａｂｅｌ（登録商標）システムでは、不可視（たとえば、赤外線）のタグ付けスキーム（ｔａｇｇｉｎｇ  ｓｃｈｉｅｍｅ）を使用して固有に製品品目を認識する。このことは、製品の包装又はラベルのグラフィクデザインに影響を及ぼすことなく製品の表面全体又はその重要な部分にタグ付けすることを可能にするという重要な利点を有する。製品の表面全体がタグ付けされた（「オムニタグ付けされた（ｏｍｎｉｔａｇｇｅｄ）」）場合に、製品の向きによりその走査される能力が影響を受けることはない、すなわち、可視バーコードの視線の欠点のかなりの部分が排除される。さらに、タグが小型で大量に複製される場合（「オムニタグ」）、もはやラベルダメージにより走査が阻止されることはない。
【００１８】
したがって、ハイパーラベリング（ｈｙｐｅｒｌａｂｅｌｌｉｎｇ）は、光学的に読取り可能な不可視タグで製品の表面の大部分を覆うことで構成される。タグが赤外スペクトルにおける反射又は吸収を利用する場合、それらのタグは赤外線ＩＤ（ＩＲＩＤ）タグと称される。各Ｈｙｐｅｒｌａｂｅｌ（登録商標）タグは、そのタグが載っている製品を固有に識別する。このタグは、品目の製品コードを直接符号化することも、或いはデータベース検索により代わりに製品コードを認識する代理のＩＤを符号化することもできる。各タグはまた、ネットページの双方向性の下流消費者利益を提供するために、製品品目の表面上のそれ自体の位置も任意選択で認識する。
【００１９】
Ｈｙｐｅｒｌａｂｅｌ（登録商標）は、デジタルプリンタ、好ましくはインクジェットプリンタを用いて製品の製造及び／又は包装時に適用される。これらのプリンタは、テキスト及びグラフィックスを他の手段によって印刷した後タグを印刷するアドオン（ａｄｄ−ｏｎ）赤外線プリンタであっても、或いはタグ、テキスト及びグラフィックスを同時に印刷する一体化されたカラー及び赤外線プリンタであってもよい。
【００２０】
Ｈｙｐｅｒｌａｂｅｌ（登録商標）は、適切な近赤外周波数の光源を用いること以外は、バーコードと同様の技術を用いて検出することができる。光源はレーザ（たとえば、８３０ｎｍの光を放出するＧａＡｌＡｓレーザ）であっても、或いはＬＥＤであってもよい。
【００２１】
上記から、不可視の赤外線検出可能インクがネットページ及びＨｙｐｅｒｌａｂｅｌ（登録商標）システムの重要な構成要素であることが容易に理解されよう。赤外線吸収インクがこれらのシステムで満足に機能するためには、理想的には多くの基準を満たすべきである。
（ｉ）インクジェットプリンタとの互換性
（ｉｉ）赤外染料の、インクジェットインクで使用される水性溶媒との相溶性
（ｉｉｉ）近赤外領域（たとえば、７００〜１０００ｎｍ）における強い吸収
（ｉｖ）可視吸収がないこと又は弱いこと
（ｖ）耐光性
（ｖｉ）熱安定性
（ｖｉｉ）毒性がないこと又は低いこと
（ｖｉｉｉ）低コスト製造
（ｉｘ）紙及び他の媒体にしっかりと付着すること
（ｘ）印刷の際インクのストライクスルーがなく、にじみが最小限であること
【００２２】
したがって、上記基準の少なくとも一部、好ましくはすべてを満たす赤外染料及びインク組成物を開発することが望ましいはずである。このようなインクは、ネットページ及びＨｙｐｅｒｌａｂｅｌ（登録商標）システムを補完することが望ましい。
【００２３】
一部の赤外染料は、Ｅｐｏｌｉｎ  Ｐｒｏｄｕｃｔｓ、Ａｖｅｃｉａ  Ｉｎｋｓ、Ｈ．Ｗ．Ｓａｎｄｓ  Ｃｏｒｐ．など様々な供給元から市販されている。
【００２４】
米国特許第５，２８２，８９４号明細書には、無金属フタロシアニン、フタロシアニン錯体、無金属ナフタロシアニン、ナフタロシアニン錯体、ニッケルジチオレン、アルミニウム化合物、メチン化合物又はアズレンスクアリン酸（ａｚｕｌｅｎｅｓｑｕａｒｉｃ  ａｃｉｄ）を含む溶媒ベースの印刷インクが記載されている。
【００２５】
しかしながら、先行技術の染料はいずれも、ネットページ又はＨｙｐｅｒｌａｂｅｌ（登録商標）システムでの使用に適したインク組成物に調合することはできない。特に、市販のインク及び／又は先行技術のインクは、以下の問題のうち１つ又は複数、近赤外線センサによる検出には不適切な波長での吸収、水性溶媒系中での溶解性又は分散性が悪いこと、或いはスペクトルの可視部における受け入れ難いほど高い吸収に悩まされている。
【００２６】
典型的なネットページには、１つのページ上に多くのハイパーリンクが、またそれに対応して赤外インクで印刷されたページの比較的大きな領域が存在することがある。Ｈｙｐｅｒｌａｂｅｌ（登録商標）システムでは、製品の包装の大部分を不可視インクで印刷することができる。したがって、使用するインクは肉眼では見えず、残留色（ｒｅｓｉｄｕａｌ  ｃｏｌｏｕｒ）を最小限しか含まないことが特に望ましい。
【００２７】
さらに、インクジェット印刷は、ネットページ及びＨｙｐｅｒｌａｂｅｌ（登録商標）を生成するための好ましい手段である。インクジェット印刷は、主に高速で低コストであることから好ましい。インクジェットインクは通常、低コスト、低毒性及び低燃焼性の理由から水性である。熱気泡ジェットプリンタでは、インクを印刷プロセス時に急速に気化させる必要がある。印刷プロセス時のインクのこの急速気化は、水性のインク組成物を必要とする。したがって、ネットページ及びＨｙｐｅｒｌａｂｅｌ（登録商標）のインクで使用される赤外染料は、水性インク組成物への調合に適していること、またインクジェットプリンタと互換性があることが望ましい。
【００２８】
ネットページシステムにおいて使用される赤外染料のさらなる必須要件は、それら赤外染料がネットページペン内の赤外線センサの周波数に対して補完的な周波数の赤外放射を吸収しなければならないことである。好ましくは、このインクは、赤外線センサの周波数で強い吸収を示す染料を含むべきである。したがって、ネットページシステムにおいて使用される染料は、近赤外線領域、すなわち７００〜１０００ｎｍ、好ましくは７５０〜９００ｎｍ、より好ましくは７８０〜８５０ｎｍで強い吸収を示すべきである。
【００２９】
ネットページ及びＨｙｐｅｒｌａｂｅｌ（登録商標）の今後予想される広範な使用に伴い、工業規模で高収率に調製することができ、受け入れ可能な光安定性を有する低コストの近赤外染料を開発することが特に望ましいはずである。
【００３０】
［発明の概要］
第１の態様では、式（Ｉ）のナフタロシアニン染料が提供される。
【化１】
2009500460.tif 000003
式中、
Ｍは金属基であるか、又は存在せず、
Ｒ１及びＲ２は独立に水素又はＣ１〜１２アルコキシから選択され、
ＸはＯ、Ｓ又は−ＮＨ−から選択され、
Ａｒ１、Ａｒ２、Ａｒ３、Ａｒ４、Ａｒ５、Ａｒ６、Ａｒ７及びＡｒ８は、フェニル、ナフチル、ピリジル、フラニル、ピロリル、チオフェニルから選択され、Ａｒ１、Ａｒ２、Ａｒ３、Ａｒ４、Ａｒ５、Ａｒ６、Ａｒ７及びＡｒ８の各々は、任意選択で１個、２個、３個、４個又は５個の基で置換され、前記基又は各基は独立に、Ｃ１〜１２アルキル、Ｃ１〜１２アルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＮＨＣ（Ｏ）Ｒｖ、−ＣＯＮＲｕＲｖ、−ＣＯＮＲｕＲｖ、スルホン酸、スルホン酸塩及びスルホンアミドから選択され、
ｄは２〜５０００の整数であり、
ＲｄはＨ、Ｃ１〜８アルキル又はＣ（Ｏ）Ｃ１〜８アルキルであり、
Ｒｕ及びＲｖは独立に、水素、Ｃ１〜１２アルキル、フェニル又はフェニル−Ｃ１〜８アルキルから選択され、
任意選択で、Ａｒ１、Ａｒ２、Ａｒ３、Ａｒ４、Ａｒ５、Ａｒ６、Ａｒ７及びＡｒ８のうち少なくとも１つは、スルホン酸、スルホン酸塩又はスルホンアミド基などの親水基で置換されている。
【００３１】
第２の態様では、本発明により、上述のような染料を含むインクジェットインクが提供される。
【００３２】
第３の態様では、本発明により、上述のようなインクジェットインクを含む少なくとも１つのインクつぼと流体連通するプリントヘッドを備えるインクジェットプリンタが提供される。
【００３３】
第４の態様では、本発明により、上述のようなインクジェットインクを含む、インクジェットプリンタ用のインクカートリッジが提供される。
【００３４】
第５の態様では、本発明により、上述のような染料がその上に配置された基板が提供される。
【００３５】
第６の態様では、人間可読情報と機械可読コード化データとを含む印刷された書式を介して、コンピュータシステムへのデータ入力を可能にする方法であって、コード化データが書式の身元と、書式の複数の基準点とを示す方法が提供され、この方法は、
コンピュータシステムにおいて、センシング装置から、書式の身元及び書式に対するセンシング装置の位置に関する指標データを受信するステップであって、センシング装置が、書式に対して作動可能な位置に設置された場合、コード化データの少なくとも一部を用いて指標データを生成するステップと、
コンピュータシステムにおいて、指標データから、書式の少なくとも１つのフィールドを認識するステップと、
コンピュータシステムにおいて、指標データの少なくとも一部を、それが少なくとも１つのフィールドに関するときに解釈するステップとを含み、
前記コード化データが、上述のような赤外線吸収染料を含む。
【００３６】
任意選択で、少なくとも１つのフィールドは書式の少なくとも１つのゾーンと関連し、認識ステップは、センシング装置の位置がこの少なくとも１つのゾーン内にあることを認識することを含む。任意選択で、指標データは、書式に対するセンシング装置の動きに関する動きデータを含み、センシング装置は、コード化データの少なくとも一部を用いてこの動きデータを生成し、認識ステップは、センシング装置の動きが少なくとも部分的に、少なくとも１つのゾーン内にあることを認識することを含む。
【００３７】
第７の態様では、人間可読情報と機械可読コード化データとを含む印刷された書式を介して、コンピュータシステムへのデータ入力を可能にする方法であって、コード化データが書式の少なくとも１つのフィールドを示す方法が提供され、この方法は、
コンピュータシステムにおいて、センシング装置から、少なくとも１つのフィールドに関し、且つ書式に対するセンシング装置の動きに関する動きデータを含む指標データを受信するステップであって、センシング装置が、書式に対して移動した場合、コード化データの少なくとも一部を用いて前記少なくとも１つのフィールドに関するデータを生成し、且つ書式に対するセンシング装置それ自体の動きに関するデータを生成するステップと、
コンピュータシステムにおいて、前記指標データの少なくとも一部を、それが前記少なくとも１つのフィールドに関するときに解釈するステップとを含み、
前記コード化データが、上述のような赤外線吸収染料を含む。
【００３８】
任意選択で、センシング装置は、コード化データの少なくとも一部を用いて動きデータを生成する。任意選択で、少なくとも１つのフィールドはテキストフィールドであり、解釈ステップは、動きデータの少なくとも一部をテキストに変換することを含む。任意選択で、少なくとも１つのフィールドは図面フィールドである。任意選択で、少なくとも１つのフィールドはチェックボックスフィールドであり、解釈ステップは、動きデータの少なくとも一部をチェックマークとして解釈することを含む。任意選択で、少なくとも１つのフィールドが署名フィールドであり、解釈ステップは、動きデータの少なくとも一部がセンシング装置に関連するユーザの署名を表していることを確認することを含む。任意選択で、少なくとも１つのフィールドはアクションフィールドであり、解釈ステップは、このアクションフィールドに関連するアプリケーションにメッセージを送信することを含む。任意選択で、このアクションフィールドは書式提出アクションフィールドであり、メッセージは、書式の少なくとも１つの他のフィールドに由来する書式データを含む。
【００３９】
第８の態様では、人間可読情報と機械可読コード化データとを含む印刷された表面を有する製品品目を介して、コンピュータシステムへのデータ入力を可能にする方法であって、コード化データが製品品目の身元を示す方法が提供され、この方法は、
（ａ）コンピュータシステムにおいて、センシング装置から、製品品目の身元に関する指標データを受信するステップであって、センシング装置が、製品品目に対して作動可能な位置に設置された場合、コード化データの少なくとも一部を用いて指標データを生成するステップと、
（ｂ）コンピュータシステムにおいて、指標データを用いて、製品品目に関する情報を記録するステップとを含み、
前記コード化データが、上述のような赤外線吸収染料を含む。
【００４０】
第９の態様では、人間可読情報と機械可読コード化データとを含む印刷された表面を有する製品品目を介して、コンピュータシステムからのデータの取出しを可能にする方法であって、コード化データが製品品目の身元を示す方法が提供され、この方法は、
（ａ）コンピュータシステムにおいて、センシング装置から、製品品目の身元に関する指標データを受信するステップであって、センシング装置が、製品品目に対して作動可能な位置に設置された場合、コード化データの少なくとも一部を用いて指標データを生成するステップと、
（ｂ）コンピュータシステムにおいて、指標データを用いて、製品品目に関する情報を取り出すステップと、
（ｃ）コンピュータシステムから出力装置へ製品品目に関する情報を出力するステップであって、出力装置が表示装置及び印刷装置を含む群から選択されるステップとを含む方法であって、
前記コード化データが、上述のような赤外線吸収染料を含む方法。
【００４１】
任意選択で、コード化データは、各々が製品品目の身元を示す、複数のコード化データ部分から形成される。任意選択で、コード化データは、製品品目に関連するＵＰＣ及びＥＰＣの少なくとも一方を示す。任意選択で、この書式は製品品目の表面に配置され、この場合コード化データは製品品目の身元を示す。任意選択で、コード化データは、各々が製品品目の身元を示す、複数のコード化データ部分から形成される。任意選択で、コード化データは、製品品目に関連するＵＰＣ及びＥＰＣの少なくとも一方を示す。
【００４２】
［詳細な説明］
赤外線吸収染料
本明細書中で使用する用語「赤外線吸収染料」は、赤外放射を吸収し、したがって赤外線センサによる検出に適している染料物質を意味する。好ましくは、赤外線吸収染料は近赤外線領域で吸収を示し、好ましくは７００〜１０００ｎｍ、より好ましくは７５０〜９００ｎｍ、より好ましくは７８０〜８５０ｎｍの範囲内にλｍａｘを有する。この範囲内にλｍａｘを有する染料は、ガリウムアルミニウムヒ素ダイオードレーザなどの半導体レーザによる検出に特に適している。
【００４３】
本発明による染料は、赤外線（好ましくは近赤外線）領域における吸収性、水性インクジェットインクへの調合に対する適合性、及び調製の容易性という有利な特徴を有する。さらに、これらの近赤外線領域における高い消散係数は、これらの染料が近赤外線検出器（たとえば、ネットページペン）による検出に適した濃度では「不可視」に見えることを意味する。したがって、本発明の染料は、ネットページ及びＨｙｐｅｒｌａｂｅｌ（登録商標）の用途での使用に特に適している。従来知られている染料のいずれにも、この独特な特性の組合せはない。
【００４４】
特に、本発明による染料は、ナフタロシアニン発色団のλｍａｘにおいて著しい青方偏移（ｂｌｕｅ−ｓｈｉｆｔ）を生じることがない水溶性化基を含む。通常、水溶性フタロシアニン類（たとえば、市販の銅フタロシアニンテトラスルホナート）は、それらの非水溶性対応物と比較して青方偏移する。青方偏移は通常、電子求引基（たとえば、スルホン酸基）を発色団に直接結合させた結果である。結果として、λｍａｘが約７８０ｎｍを上回る水溶性ナフタロシアニン類を、特に銅など赤方偏移しない金属を用いて調製することは困難である。銅は、毒性が低く、低コストで、且つ化学的性質に信頼性があるため、赤外染料で使用するのに魅力的な金属である。しかしながら、受け入れ可能な赤外線吸収を示す水溶性銅ナフタロシアニン類は、一方では水溶性化基が必要であるが、他方では水溶性化基はλｍａｘを青方偏移して近赤外線領域から離してしまうという矛盾する上記要件のために、これまで知られていなかった。
【００４５】
本発明では、（複数の）水溶性化基が赤外発色団から遠位にあるため、染料のλｍａｘに著しく影響を与えない。したがって、所望の近赤外線ウインドウ内にλｍａｘを有する水溶性ナフタロシアニンは、赤方偏移する金属だけでなく様々な金属を用いて入手可能である。
【００４６】
本発明の周辺置換された染料の追加の利点は、周辺置換基が、マクロ環の周りに立体障害を与え、それによりπ−πスタッキングなどの分子間相互作用が阻止されることである。周辺基はまた、分子間相互作用をさらに低減することができる他の官能基を結合させるための有用な取っ掛かりとしても働く。
【００４７】
一般に、本発明によるナフタロシアニン染料は４種類のジシアノアリール分子のカスケード結合（ｃａｓｃａｄｅｄ  ｃｏｕｐｌｉｎｇ）により合成されるが、対応するイミジンから調製することもできる。カスケード結合反応向けの典型的なジシアノアリール（１）及びイミジン（２）出発材料を以下に示す。
【化２】
2009500460.tif 000004
【００４８】
カスケード塩基触媒マクロ環化は、金属テンプレート法によって容易にすることも、或いは金属のない状態で進行することもできる。テンプレートとなる金属のない状態でマクロ環化を行った場合、得られた無金属ナフタロシアニンに金属を容易に挿入することができる。マクロ環化に続いて、アリール基（Ａｒ）を通常は、標準的なスルホン化条件（たとえば、油、クロロスルホン酸）を用いてスルホン化する。これらアリール基は、ナフタロシアニン環の存在下で選択的にスルホン化される。
【００４９】
Ｒ１及びＲ２で表される基は、染料を修飾する又は染料の波長λｍａｘを「調整する」ために使用することができる。オルト位にある電子供与置換基（たとえば、アルコキシ）により、この染料において赤方偏移をもたらすことができる。本発明の好ましい一実施形態では、Ｒ１及びＲ２は共にＣ１〜８のアルコキシ基であり、好ましくはブトキシである。ブトキシ置換基は、近赤外線におけるより長い波長に向かってλｍａｘを有利に偏移させる。これらの波長は、市販のレーザによる検出にとって好ましい。別の好ましい実施形態では、Ｒ１及びＲ２は共に水素であり、これにより必要なナフタロシアニンの迅速合成が提供される。
【００５０】
任意選択で、スルホン酸又はスルホン酸塩は式−ＳＯ３Ｚである。好ましくは、ＺはＨ、Ｌｉ＋、Ｎａ＋、Ｋ＋又はＮ＋（Ｒｍ）（Ｒｎ）（Ｒｓ）（Ｒｔ）などのアンモニウムカチオンから選択される。Ｒｍ、Ｒｎ、Ｒｓ、Ｒｔは同一でも異なっていてもよく、独立にＨ、Ｃ１〜８アルキル（たとえば、メチル、エチル、シクロヘキシル、シクロペンチル、ｔｅｒｔ−ブチル、イソプロピル等）、Ｃ６〜１２アリールアルキル（たとえば、ベンジル、フェニルエチル等）又はＣ６〜１２アリール（たとえば、フェニル、ナフチル等）から選択される。上述のように、標準的なスルホン化条件下でスルホン酸置換基を導入することができる。この酸基は、たとえば、金属水酸化物試薬（たとえば、ＬｉＯＨ、ＮａＯＨ又はＫＯＨ）或いは金属重炭酸塩（たとえば、ＮａＨＣＯ３）を用いてその塩の形へ変換することができる。たとえば水酸化アンモニウム（たとえば、Ｂｕ４ＮＯＨ、ＮＨ４ＯＨ等）を用いて、非金属塩を調製することもできる。
【００５１】
任意選択で、スルホンアミド基が一般式−ＳＯ２ＮＲｐＲｑであり、式中、Ｒｐ及びＲｑは独立に、Ｈ、Ｃ１〜８アルキル（たとえば、メチル、エチル、シクロヘキシル、シクロペンチル、ｔｅｒｔ−ブチル、イソプロピル等）、−（ＣＨ２ＣＨ２Ｏ）ｅＲｅ（式中、ｅは２〜５０００の整数であり、ＲｅはＨ、Ｃ１〜８アルキル又はＣ（Ｏ）Ｃ１〜８アルキルである）、Ｃ６〜１２アリールアルキル（たとえば、ベンジル、フェニルエチル等）又はＣ６〜１２アリール（フェニル、メトキシフェニル等）から選択される。スルホンアミド類は、対応するスルホン酸類から容易に調製することができる。さらに、スルホン酸類／塩類及びスルホンアミド類の混合物も、本発明の範囲内であると考えられる。たとえば、各染料分子は、１個、２個、３個又は４個のスルホンアミド基並びに１個、２個、３個又は４個のスルホン酸アンモニウム塩を含むことができる。
【００５２】
任意選択で、スルホンアミド基は一般式−ＳＯ２ＮＨＲｐであり、式中、Ｒｐは式（Ｖ）である。
【化３】
2009500460.tif 000005
式中、
ＲｊはＨ、Ｃ１〜１２のアルコキシ、−（ＯＣＨ２ＣＨ２）ｄＯＲｄから選択され、
ｄは２〜５０００の整数であり、
ＲｄはＨ、Ｃ１〜８アルキル又はＣ（Ｏ）Ｃ１〜８アルキルである。
Ｒｊはオルト、メタ又はパラ位に位置することができる。
任意選択で、Ａｒ基の各々は、１つのスルホン酸、スルホン酸塩又はスルホンアミド基で置換され、それにより合計８つの水溶性化基が得られる。
任意選択で、ＸはＯである。任意選択で、各Ａｒ基はフェニルである。
【００５３】
任意選択で、染料は式（ＩＩＩ）である。
【化４】
2009500460.tif 000006
式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択される。
典型的には、各−ＳＯ３Ｚ基は、ナフタロシアニン環に結合しているヘテロ原子（たとえば、Ｏ）のパラ配向性効果（ｐａｒａ−ｄｉｒｅｃｔｉｎｇ  ｅｆｆｅｃｔ）によりパラ位置にある。
【００５４】
任意選択で、染料は式（ＩＶ）である。
【化５】
2009500460.tif 000007
式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択され、
Ｒ３は、Ｃ１〜１２アルキル、Ｃ１〜１２のアルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＮＨＣ（Ｏ）Ｒｖ、−ＣＯＮＲｕＲｖ又は−ＣＯＮＲｕＲｖから選択される。
任意選択で、Ｒ３はＣ１〜６アルキル又はＣ１〜６のアルコキシである。
【００５５】
式（ＩＶ）による染料は、Ｒ３の基がパラ位をふさいでいるため有利である。これにより、通常オルト位又はメタ位、好ましくはメタ位でスルホン基に置換される。スルホン基がメタ位に方向付けられると、それらのメソメリー電子求引効果が最小限に抑えられ、これにより結果として、置換により生じるλｍａｘのどんな青方偏移も最小限に抑えられる。
【００５６】
任意選択で、金属基Ｍは、Ｓｉ（Ａ１）（Ａ２）、Ｇｅ（Ａ１）（Ａ２）、Ｇａ（Ａ１）、Ｍｇ、Ａｌ（Ａ１）、ＴｉＯ、Ｔｉ（Ａ１）（Ａ２）、ＺｒＯ、Ｚｒ（Ａ１）（Ａ２）、ＶＯ、Ｖ（Ａ１）（Ａ２）、Ｍｎ、Ｍｎ（Ａ１）、Ｆｅ、Ｆｅ（Ａ１）、Ｃｏ、Ｎｉ、Ｃｕ、Ｚｎ、Ｓｎ、Ｓｎ（Ａ１）（Ａ２）、Ｐｂ、Ｐｂ（Ａ１）（Ａ２）、Ｐｄ及びＰｔから選択される。
Ａ１及びＡ２は軸配位子であり、同一でも異なってもいてもよく、−ＯＨ、ハロゲン又は−ＯＲ３から選択される。
Ｒ３は、ＳＯ３Ｚ（Ｚは先ほど定義したとおりである）、Ｃ１〜１２アルキル、Ｃ５〜１２アリール、Ｃ５〜１２アリールアルキル又はＳｉ（Ｒｘ）（Ｒｙ）（Ｒｚ）から選択される。Ｒｘ、Ｒｙ及びＲｚは同一でも異なってもいてもよく、Ｃ１〜１２アルキル、Ｃ５〜１２アリール、Ｃ５〜１２アリールアルキル、Ｃ１〜１２のアルコキシ、Ｃ５〜１２アリールオキシ又はＣ５〜１２アリールアルコキシから選択される。
任意選択で、金属基Ｍは、ＳｎＣｌ２、Ｖ＝Ｏ、Ｃｕ又はＧａ（ＯＨ）から選択される。
【００５７】
用語「アリール」は、フェニル、ナフチル、又はトリプチセニル（ｔｒｉｐｔｙｃｅｎｙｌ）などの芳香族基を言及するために本明細書中で使用する。たとえば、Ｃ６〜１２アリールは、置換基を含まない炭素数６〜１２の芳香族基を指す。用語「アリーレン」はもちろん、上記一価アリール基に対応する二価の基を指す。アリールについての任意の言及は、適切な場合には暗黙にアリーレンを含む。
【００５８】
用語「ヘテロアリール」は、１個、２個、３個又は４個の炭素原子がＮ、Ｏ又はＳから選択されるヘテロ原子に置き換えられたアリール基を指す。ヘテロアリール（又は芳香族複素環）基の例には、ピリジル、ベンズイミダゾリル、インダゾリル、キノリニル、イソキノリニル、インドリニル、イソインドリニル、インドリル、イソインドリル、フラニル、チオフェニル、ピロリル、チアゾリル、イミダゾリル、オキサゾリル、イソキサゾリル、ピラゾリル、イソキサゾロニル、ピペラジニル、ピリミジニル、ピペリジニル、モルホリニル、ピロリジニル、イソチアゾリル、トリアゾリル、オキサジアゾリル、チアジアゾリル、ピリジル、ピリミジニル、ベンゾピリミジニル、ベンゾトリアゾール、キノキサリニル、ピリダジル、クマリニル等が含まれる。用語「ヘテロアリーレン」はもちろん、上記一価のヘテロアリール基に対応する二価の基を指す。ヘテロアリールについての任意の言及は、適切な場合には暗黙にヘテロアリーレンを含む。
【００５９】
特に明記しない限り、アリール、アリーレン、ヘテロアリール及びヘテロアリーレン基は、任意選択で、下記置換基のうち１個、２個、３個、４個又は５個の置換基で置換することができる。
【００６０】
任意選択で置換された基について（たとえば、架橋環状基、アリール基又はヘテロアリール基に関して）言及する場合、任意選択の置換基は独立に、Ｃ１〜８アルキル、Ｃ１〜８のアルコキシ、−（ＯＣＨ２ＣＨ２）ｄＯＲｄ（式中、ｄは２〜５０００の整数であり、ＲｄはＨ、Ｃ１〜８アルキル又はＣ（Ｏ）Ｃ１〜８アルキルである）、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＳＯ２ＯＲｖ、−ＮＨＣ（Ｏ）Ｒｖ、−ＣＯＮＲｕＲｖ、−ＣＯＮＲｕＲｖ、−ＳＯ２ＮＲｕＲｖから選択され、Ｒｕ及びＲｖは独立に、水素、Ｃ１〜１２アルキル、フェニル又はフェニル−Ｃ１〜８アルキル（たとえば、ベンジル）から選択される。たとえば、ある基が２つ以上の置換基を含む場合、異なる基が異なるＲｕ又はＲｖ基を有することができる。たとえば、ナフチル基を、３種類の置換基、−ＳＯ２ＮＨＰｈ、−ＣＯ２Ｍｅ基及び−ＮＨ２で置換することができる。
【００６１】
用語「アルキル」は、直鎖状及び分岐状アルキル基を共に言及するために本明細書中で使用する。こアルキル基は、Ｏ、Ｎ、又はＳから選択される１個、２個又は３個のヘテロ原子で遮断することができる。こアルキル基は、１個、２個又は３個の二重及び／又は三重結合で遮断することもできる。しかしながら、用語「アルキル」は通常、ヘテロ原子による遮断或いは二重又は三重結合による遮断のないアルキル基を指す。「アルケニル」基が具体的に言及されている場合、これは、上記「アルキル」の定義についての限定と解釈されるものではない。
【００６２】
用語「アルキル」は、ハロゲノアルキル基も含む。Ｃ１〜１２アルキル基では、たとえば、最大５個の水素原子をハロゲン原子に置き換えることができる。たとえば、基−ＯＣ（Ｏ）Ｃ１〜１２アルキルには、具体的には−ＯＣ（Ｏ）ＣＦ３が含まれる。
【００６３】
たとえば、Ｃ１〜１２アルキルについて言及する場合、こアルキル基は、１個〜１２個の間の任意の数の炭素原子を含むことができることを意味する。特に明記しない限り、「アルキル」についての任意の言及は、Ｃ１〜１２アルキル、好ましくはＣ１〜６アルキルを意味する。
【００６４】
用語「アルキル」は、シクロアルキル基も含む。本明細書中で使用する用語「シクロアルキル」は、シクロアルキル、ポリシクロアルキル及びシクロアルケニル基、並びにシクロアルキルアルキル基などこれらと直鎖アルキル基との組合せを含む。このシクロアルキル基は、Ｏ、Ｎ又はＳから選択される１個、２個又は３個のヘテロ原子で遮断することができる。しかしながら、用語「シクロアルキル」は通常、ヘテロ原子による遮断のないシクロアルキル基を指す。シクロアルキル基の例には、シクロペンチル、シクロヘキシル、シクロヘキセニル、シクロヘキシルメチル及びアダマンチル基が含まれる。
【００６５】
用語「アリールアルキル」は、ベンジル、フェニルエチル、ナフチルメチルなどの基を指す。
【００６６】
用語「ハロゲン」又は「ハロ」は、フッ素、塩素、ホウ素及びヨウ素のうちいずれかについて言及するために本明細書中で使用する。しかしながら、通常ハロゲンは、塩素又はフッ素置換基を指す。
【００６７】
本明細書中に記載のキラル化合物には、ステレオ記述子は与えられていない。しかしながら、化合物が立体異性体で存在することができる場合には、可能な立体異性体及びこれらの混合物がすべて含まれる（たとえば、エナンチオマー、ジアルテレオマー、及びラセミ混合物を含むすべての組合せ等）。
【００６８】
同様に、化合物が多くの位置異性体で存在することができる場合、可能な位置異性体及びこれらの混合物がすべて含まれる。
【００６９】
誤解を避けるために、「ｃｏｍｐｒｉｓｉｎｇ  ａ」などの句の中の用語「ａ」（又は「ａｎ」）は、「唯一の（ｏｎｅ  ａｎｄ  ｏｎｌｙ  ｏｎｅ）」ではなく、「少なくとも１つの（ａｔ  ｌｅａｓｔ  ｏｎｅ）」を意味する。用語「少なくとも１つの」が具体的に使用されている場合、これは、「ａ」の定義についての限定を有するものと解釈すべきではない。
【００７０】
本明細書を通して、用語「ｃｏｍｐｒｉｓｉｎｇ」、或いは「ｃｏｍｐｒｉｓｅ」や「ｃｏｍｐｒｉｓｅｓ」など変形は、言及されている要素、整数又はステップを含むが、他の任意の要素、整数又はステップを排除しないものと解釈すべきである。
【００７１】
インクジェットインク
本発明により、インクジェットインクも提供される。好ましくは、このインクジェットインクは水性インクジェットインクである。
【００７２】
水性インクジェットインク組成物は、文献で周知であり、水に加えて、共溶媒、殺生物剤、金属イオン封鎖剤、保湿剤、ｐＨ調整剤、粘度調整剤、浸透剤、湿潤剤、表面活性剤等の添加剤を含むことができる。
【００７３】
共溶媒は通常、水溶性有機溶媒である。適切な水溶性有機溶媒には、エタノール、メタノール、ブタノール、プロパノール、及び２−プロパノールなどＣ１〜４アルキルアルコール類、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロプレングリコールモノ−イソプロピルエーテル、プロピレングリコールモノ−ｎ−ブチルエーテル、及びジプロプレングリコールモノ−ｎ−ブチルエーテルなどのグリコールエーテル類、ホルムアミド、アセトアミド、ジメチルスルホキシド、ソルビトール、ソルビタン、グリセロールモノアセテート、グリセロールジアセテート、グリセロールトリアセテート並びにスルホラン、或いはこれらの組合せが含まれる。
【００７４】
他の有用な水溶性有機溶媒には、２−ピロリドン、Ｎ−メチルピロリドン、ε−カプロラクタム、ジメチルスルホキシド、スルホラン、モルホリン、Ｎ−エチルモルホリン、１，３−ジメチル−２−イミダゾリジノン及びこれらの組合せなどの極性溶媒が含まれる。
【００７５】
このインクジェットインクは、インク組成物に保水性及び湿潤性を付与するための湿潤剤又は保湿剤として働くことができる高沸点の水溶性有機溶媒を含むことができる。このような高沸点の水溶性有機溶媒には、沸点が１８０℃以上であるものが含まれる。沸点が１８０℃以上である水溶性有機溶媒の例は、エチレングリコール、プロピレングリコール、ジエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコールモノメチルエーテル、ジプロピレングリコールモノエチルグリコール、ジプロピレングリコールモノエチルエーテル、ジプロピレングリコールモノメチルエーテル、ジプロピレングリコール、トリエチレングリコールモノメチルエーテル、テトラエチレングリコール、トリエチレングリコール、ジエチレングリコールモノブチルエーテル、ジエチレングリコールモノエチルエーテル、ジエチレングリコールモノメチルエーテル、トリプロピレングリコール、分子量が２０００以下であるプロピレングリコール類、１，３−プロピレングリコール、イソプロピレングリコール、イソブチレングリコール、１，４−ブタンジオール、１，３−ブタンジオール、１，５−ペンタンジオール、１，６−ヘキサンジオール、グリセロール、エリトリトール、ペンタエリトリトール及びこれらの組合せである。
【００７６】
インクジェットインク中の全水溶性有機溶媒容量は、全インク組成物に基づき好ましくは約５〜５０重量％、より好ましくは１０〜３０重量％である。
【００７７】
他の適切な湿潤剤又は保湿剤には、サッカリド類（モノサッカリド類、オリゴサッカリド類及びポリサッカリド類を含む）並びにこれらの誘導体（たとえば、マルチトール、ソルビトール、キシリトール、ヒアルロン酸塩、アルドン酸、ウロン酸等）が含まれる。
【００７８】
このインクジェットインクは、水性インクの記録媒体への浸透を促進するための浸透剤を含むこともできる。適切な浸透剤には、多価アルコールアルキルエーテル類（グリコールエーテル類）及び／又は１，２−アルキルジオール類が含まれる。適切な多価アルコールアルキルエーテル類の例は、エチレングリコールモノメチルエーテル、エチレングリコールモノエチルエーテル、エチレングリコールモノブチルエーテル、エチレングリコールモノメチルエーテルアセテート、ジエチレングリコールモノメチルエーテル、ジエチレングリコールモノエチルエーテル、エチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、ジエチレングリコールモノ−ｎ−ブチルエーテル、トリエチレングリコールモノ−ｎ−ブチルエーテル、エチレングリコールモノ−ｔ−ブチルエーテル、ジエチレングリコールモノ−ｔ−ブチルエーテル、１−メチル−１−メトキシブタノール、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−イソプロピルエーテル、ジプロピレングリコールモノメチルエーテル、ジプロピレングリコールモノエチルエーテル、ジプロピレングリコールモノ−ｎ−プロピルエーテル、ジプロピレングリコールモノ−イソプロピルエーテル、プロピレングリコールモノ−ｎ−ブチルエーテル、及びジプロピレングリコールモノ−ｎ−ブチルエーテルである。適切な１，２−アルキルジオール類の例は、１，２−ペンタンジオール及び１，２−ヘキサンジオールである。この浸透剤は、１，３−プロパンジオール、１，４−ブタンジオール、１，５−ペンタンジオール、１，６−ヘキサンジオール、１，７−ヘプタンジオール、１，８−オクタンジオールなどの直鎖炭化水素ジオールから選択することもできる。グリセロール又は尿素を浸透剤として使用することもできる。
【００７９】
浸透剤の量は、全インク組成物に基づき好ましくは１〜２０重量％、より好ましくは１〜１０重量％の範囲内である。
【００８０】
このインクジェットインクは、界面活性剤、特にアニオン性界面活性剤及び／又は非イオン性表面活性剤を含むこともできる。有用なアニオン性界面活性剤には、アルカンスルホン酸塩、α−オレフィンスルホン酸塩、アルキルベンゼンスルホン酸塩、アルキルナフタレンスルホン酸、アシルメチルタウリン、ジアルキルスルホコハク酸などのスルホン酸型、アルキル硫酸エステル塩、硫酸化油、硫酸化オレフィン、ポリオキシエチレンアルキルエーテル硫酸エステル塩、カルボン酸型、たとえば、脂肪酸塩及びアルキルサルコシン酸塩、アルキルリン酸エステル塩、ポリオキシエチレンアルキルエーテルリン酸エステル塩、グリセロリン酸エステル塩などのリン酸エステル型が含まれる。アニオン性界面活性剤の具体的な例は、ドデシルベンゼンスルホンン酸ナトリウム、ラウリン酸ナトリウム及びポリオキシエチレンアルキルエーテルスルホン酸アンモニウム塩である。
【００８１】
適切な非イオン性表面活性剤には、ポリオキシエチレンアルキルエーテル類、ポリオキシエチレンアルキルフェニルエーテル類、ポリオキシエチレンアルキルエステル類、及びポリオキシエチレンアルキルアミド類などのエチレンオキシド付加物型、グリセロールアルキルエステル類、ソルビタンアルキルエステル類、及び糖アルキルエステル類などのポリオールエステル型、多価アルコールアルキルエステル類などのポリエステル型、アルカノールアミン脂肪酸アミド類などのアルカノールアミド型が含まれる。非イオン性表面活性剤の具体的な例は、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、及びポリオキシアルキレンアルキルエーテル類（たとえば、ポリオキシエチレンアルキルエーテル類）などのエーテル類、オレイン酸ポリオキシエチレン、ポリオキシエチレンオレイン酸エステル、ジステアリン酸ポリオキシエチレン、ラウリン酸ソルビタン、モノステアリン酸ソルビタン、モノオレイン酸ソルビタン、セスキオレイン酸ソルビタン、モノオレイン酸ポリオキシエチレン、及びステアリン酸ポリオキシエチレンなどのエステル類である。２，４，７，９−テトラメチル−５−デシン−４，７−ジオール、３，６−ジメチル−４−オクチン−３，６−ジオール、又は３，５−ジメチル−１−ヘキシン−３−オールなどのアセチレングリコール表面活性剤を使用することもできる。
【００８２】
このインクジェットインクは、そのｐＨを７〜９に調整するためにｐＨ調整剤を含むことができる。適切なｐＨ調整剤には、水酸化ナトリウム、水酸化カリウム、水酸化リチウム、炭酸ナトリウム、炭酸水素ナトリウム、炭酸カリウム、炭酸水素カリウム、炭酸リチウム、リン酸ナトリウム、リン酸カリウム、リン酸リチウム、リン酸二水素カリウム、リン酸水素二カリウム、シュウ酸ナトリウム、シュウ酸カリウム、シュウ酸リチウム、ホウ酸ナトリウム、四ホウ酸ナトリウム、フタル酸水素カリウム、及び酒石酸水素カリウムなどの塩基性化合物、アンモニア、並びにメチルアミン、エチルアミン、ジエチルアミン、トリメチルアミン、トリエチルアミン、トリス（ヒドロキシメチル）アミノメタン塩酸塩、トリエタノールアミン、ジエタノールアミン、ジエチルエタノールアミン、トリイソプロパノールアミン、ブチルジエタノールアミン、モルホリン、プロパノールアミンなどのアミン類が含まれる。
【００８３】
このインクジェットインクは、安息香酸、ジクロロフェン、ヘキサクロロフェン、ソルビン酸、ヒドロキシ安息香酸エステル類、デヒドロ酢酸ナトリウム、１，２−ベンチアゾリン−３−オン、３，４−イソチアゾリン−３−オン、４，４−ジメチルオキサゾリジンなどの殺生物剤を含むこともできる。
【００８４】
このインクジェットインクは、エチレンジアミン四酢酸（ＥＤＴＡ）などの金属イオン封鎖剤を含むこともできる。
【００８５】
このインクジェットインクは、一重項酸素失活剤（ｓｉｎｇｌｅｔ  ｏｘｙｇｅｎ  ｑｕｅｎｃｈｅｒ）を含むこともできる。インク中の一重項酸素失活剤の存在により、赤外線吸収染料の劣化傾向が低減される。失活剤は染料分子の近くで生成されるどんな一重項酸素も消費するため、染料分子の劣化を最小限に抑える。染料の劣化を最小限に抑え、長期にわたってその赤外線吸収特性を保つためには、過剰な一重項酸素失活剤が有利である。好ましくは、一重項酸素失活剤は、アスコルビン酸、１，４−ジアザビシクロ−［２．２．２］オクタン（ＤＡＢＣＯ）、アジド類（たとえば、アジ化ナトリウム）、ヒスチジン又はトリプトファンから選択される。
【００８６】
インクジェットプリンタ
本発明により、上述のようなインクジェットインクを含む、少なくとも１つのインクつぼと流体連通するプリントヘッドを備えるインクジェットプリンタも提供される。
【００８７】
熱気泡ジェットプリンタや圧電プリンタなどのインクジェットプリンタは、当技術分野で周知であり、当業者の一般常識の一部を形成することになる。このプリンタは、高速インクジェットプリンタでもよい。このプリンタは、好ましくはページ幅のプリンタである。本発明で使用するための好ましいインクジェットプリンタ及びプリントヘッドは、以下の特許出願に記載されており、これらの特許出願はすべて参照によりそれら全体が本明細書中に組み込まれる。
10/302,274  6692108    6672709  10/303,348  6672710      6669334
10/302,668  10/302,577  6669333  10/302,618  10/302,617  10/302,297
【００８８】
プリントヘッド
Ｍｅｍｊｅｔのプリンタは一般に、ページ幅のプリントヘッドが形成されるように互いに隣接して実装されるプリントヘッド集積回路を２つ有する。通常、プリントヘッドＩＣの寸法は２インチ〜８インチと様々であるため、たとえばＡ４ページ幅のプリントヘッドを製造するためにいくつかの組合せを使用することができる。たとえば、７インチ（１７．７８ｃｍ）及び３インチ（７．６２ｃｍ）、２インチ（５．０８ｃｍ）及び４インチ（１０．１６ｃｍ）或いは５インチ（１２．７０ｃｍ）及び５インチ（１２．７０ｃｍ）の２つのプリントヘッドＩＣを使用してＡ４プリントヘッドを作製することができる（表記法は７：３）。同様に、６及び４（６：４）或いは５及び５（５：５）の組合せを使用することができる。Ａ３プリントヘッドは、たとえば、８インチ（２０．３２ｃｍ）及び６インチ（１５．２４ｃｍ）のプリントヘッド集積回路で構成することができる。写真印刷では、特にカメラにおいて、より小さいプリントヘッドを使用することができる。単一のプリントヘッド集積回路を、又はこのような回路を３つ以上使用して、必要とされるプリントヘッド幅を実現することもできることも理解されよう。
【００８９】
このプリントヘッドの好ましいプリントヘッド実施形態を、図１７及び図１８を参照して説明する。プリントヘッド４２０は細長いユニットの形をとる。図１８に最も良く示されているように、プリントヘッド４２０の構成部品には、支持部材４２１、フレキシブルＰＣＢ４２２、インク分配型４２３、インク分配板４２４、第１及び第２のプリントヘッド集積回路（ＩＣ）４２５及び４２６を備えるＭＥＭＳプリントヘッド並びに母線４２７が含まれる。
【００９０】
支持部材４２１は、金属やプラスチックなど任意の適切な材料から形成することができ、押し出し成形する、鋳型成形する又は任意の他のやり方で形成することができる。支持部材４２１は、プリントヘッド全体を補強し強化しながらも他の構成部品を互いに対して適切に整列させて保持するのに十分なほど丈夫であるべきである。
【００９１】
フレキシブルＰＣＢは、プリントヘッド４２０の全長にわたって延在し、第１及び第２の電気コネクタ４２８及び４２９を備える。電気コネクタ４２８及び４２９は、フレキシブルコネクタ（図示せず）と一致する。これらの電気コネクタは、使用時にはＳｏＰＥＣチップ（図示せず）からの対応する出力コネクタと接触して位置する接触領域４５０及び４６０を備える。ＳｏＰＥＣチップからのデータは、電気コネクタ４２８及び４２９に沿って通過し、第１及び第２のプリントヘッドＩＣ４２５及び４２６のそれぞれの端部に分配される。
【００９２】
図１９に示すように、インク分配型４２３は、流体（すなわち、色付きインク、赤外インク及び固定剤）を分配し、且つプリントヘッド４２０（図１８）の全長に沿って空気ポンプからの加圧空気を分配する複数の細長い導管４３０を備える。インク分配型４２３の全長に沿って配置されている流体開口４３１（図２０）一式は、導管４３０からのこれらの流体及び空気をインク分配板４２４に分配する。これらの流体及び空気は、プラグ４４１（図２１）上に形成されているノズル４４０を介して供給され、プラグ４４１は、プリンタ内の対応するソケット（図示せず）に差し込まれている。
【００９３】
分配板４２４は、流体開口４３１から局所的に提供された流体を取り込み、それらをより小さい分配開口４３２を通してプリントヘッドＩＣ４２５及び４２６に分配するように構成されている多層構造である（図２０に示すように）。
【００９４】
プリントヘッドＩＣ４２５及び４２６は端から端まで位置し、より小さい分配開口４３２からのインクをプリントヘッドＩＣ４２５及び４２６内の対応する開口（図示せず）に供給することができるように分配板４２４に接触して保持されている。
【００９５】
母線４２７は、（以下で詳細に説明する）プリントヘッドノズルのアクチュエータに駆動電流を提供するために位置する比較的大容量の導体である。図２０に最も良く示されているように、母線４２７は、ソケット４３３によって一端が、またフレキシブルＰＣＢ４２２のラップアラウンドウイング（ｗｒａｐ−ａｒｏｕｎｄ  ｗｉｎｇｓ）４３４によって両端が定位置に保持されている。これらの母線はまたプリントヘッドＩＣ４２５を定位置に保持することにも役立つ。
【００９６】
図１８に最も良く示されているように、組み立てられると、フレキシブルＰＣＢ４２２が他の構成部品に効果的に包み込み、それにより構成部品が互いに接触して保持される。この束縛効果にもかかわらず、支持部材４２１は、プリントヘッド４２０全体が必要とする剛性及び強度の大部分を提供する。
【００９７】
上述のプリントヘッドでの使用に適したプリントヘッドノズル（「サーマル屈曲アクチュエータ（ｔｈｅｒｍａｌ  ｂｅｎｄ  ａｃｔｕａｔｏｒ）」及び「気泡形成加熱要素アクチュエータ（ｂｕｂｂｌｅ  ｆｏｒｍｉｎｇ  ｈｅａｔｅｒ  ｅｌｅｍｅｎｔ  ａｃｔｕａｔｏｒ）」）の２つの型を説明する。
【００９８】
サーマル屈曲アクチュエータ
サーマル屈曲アクチュエータには、インクを含むノズル室を有するノズル配置と、室内に位置するパドルに接続されているサーマル屈曲アクチュエータとが通常設けられている。このサーマルアクチュエータ装置は、ノズル室からインクが噴出されるように作動する。好ましい実施形態は、導電トレースの伝導加温（ｃｏｎｄｕｃｔｉｖｅ  ｈｅａｔｉｎｇ）を行うための一連のテーパー部を備える特定のサーマル屈曲アクチュエータを含む。このアクチュエータは、ノズル室のすきま壁を通って受けられるアームを介してパドルに接続されている。このアクチュエータのアームは、ノズル室の壁のスロットの表面とほぼ一致するようにはめ合わせ形状を有する。
【００９９】
最初に図２２（ａ）〜図２２（ｃ）を参照すると、この実施形態のノズル配置の基本動作の略図が提供されている。インク注入チャネル５０３によってインク５０２で満たされたノズル室５０１が設けられており、インク注入チャネル５０３は、ノズル室５０１が載置されているウエハ基板を貫通してエッチングすることができる。ノズル室５０１は、周りにインクメニスカスが形成されるインク噴出ポート５０４をさらに備えている。
【０１００】
ノズル室５０１内には、ノズル室５０１の壁のスロットを通ってアクチュエータ５０８と相互接続されているパドル型装置５０７がある。アクチュエータ５０８は、加熱手段、たとえばポスト５１０の端部に隣接して位置する５０９を備える。ポスト５１０は基板に固定されている。
【０１０１】
ノズル室５０１から滴を噴出することが望まれる場合、図２２（ｂ）に示すように、加熱手段５０９を熱膨張するように加熱する。好ましくは、加熱手段５０９自体又はアクチュエータ５０８の他の部分を、屈曲効率が高い材料から作製し、この屈曲効率は以下のように定義される。
【数１】
2009500460.tif 000008
【０１０２】
加熱要素用の適切な材料は、ガラス材料を曲げるように形成することができる銅ニッケル合金である。
【０１０３】
加熱手段５０９は、活性化作用がパドル端部５０７で拡大されるように理想的にはポスト５１０の端部に隣接して位置し、その結果ポスト５１０近くでの小さい熱膨張がパドル端部の大きな動きとなる。
【０１０４】
加熱手段５０９及び結果として起こるパドルの動きにより、インクメニスカス５０５は図２２（ｂ）に示すように急速に膨張し、インクメニスカス５０５の周りの圧力が全体的に増大する。ヒータ電流はパルス状で、インクがインクチャネル５０３からの流入に加えてポート５０４から噴出される。
【０１０５】
その後、パドル５０７は不活性化されて、その静止位置に再び戻る。この不活性化により、インクのノズル室への全体的なリフローが生じる。ノズル縁外側にあるインクの前方へのはずみ及び対応する逆流により、全体的にネックが形成され、滴５１２がちぎれ、滴５１２は印刷媒体へと向かう。崩壊後のメニスカス５０５により、全体的にインクがインクフローチャネル５０３を介してノズル室５０２へと吸引される。やがて、図２２（ａ）の位置に再び達するようにノズル室５０１が補充され、その後ノズル室は、別のインク滴の噴出に向けて準備が整う。
【０１０６】
図２３は、ノズル配置の側面斜視図を示す。図２４は、図２３のノズル配置のアレイの断面図を示す。これらの図では、先に導入した要素の番号付けが維持されている。
【０１０７】
まず、アクチュエータ５０８は、窒化チタン層５１７の上に形成された上側ガラス部分（非晶質二酸化ケイ素）５１６を備える一連のテーパー状アクチュエータユニット、たとえば５１５を備える。或いは、より高い屈曲効率を有することになる銅ニッケル合金層（以下、キュプロニッケルと呼ぶ）を利用することもできる。
【０１０８】
窒化チタン層５１７はテーパー状であり、ポスト５１０の端部近くで抵抗加熱が行われる。隣接する窒化チタン／ガラス部分５１５は、ブロック部分５１９で相互接続されており、このブロック部分５１９はアクチュエータ５０８に対して機械的構造支持体も提供する。
【０１０９】
加熱手段５０９は、加熱するとアクチュエータ５０８の軸に沿って生じる曲げ力が最大となるように細長く且つ離隔された複数のテーパー状アクチュエータユニット５１５を理想的には備える。隣接するテーパー状ユニット５１５間にはスロットが画定され、これらのスロットにより、隣接するアクチュエータ５０８に対して各アクチュエータ５０８のわずかな差動操作が可能となる。
【０１１０】
ブロック部分５１９は、アーム５２０と相互接続されている。アーム５２０は、ノズル室５０１の側面に形成されたスロット、たとえば５２２によって、ノズル室５０１内部のパドル５０７に接続されている。スロット５２２は、アーム５２０の周りでインクが流出する機会を最小限に抑えるために、アーム５２０の表面と概略一致するように設計される。インクは、スロット５２２の周りの表面張力効果によりノズル室５０１内に概略保持される。
【０１１１】
アーム５２０を作動させることが望まれる場合、伝導電流は、下層のＣＭＯＳ層５０６に接続するブロック部分５１９内のビアを通って窒化チタン層５１７を通過し、ＣＭＯＳ層５０６は、このノズル配置に必要な電力及び制御回路を提供する。この伝導電流により、ポスト５１０に隣接する窒化物層５１７が加熱され、これによりアーム５２０が全体的に上方に曲がり、結果としてノズル５０４からインクが噴出される。噴出された滴は、先に説明したようにインクジェットプリンタの常法でページ上に印刷される。
【０１１２】
ノズル配置のアレイを、単一のプリントヘッドを作製するために形成することができる。たとえば、図２４には、プリントヘッドアレイが形成されるように交互に列を成して配置されている図２３のインク噴射ノズル配置を複数含む、部分的に断面である様々なアレイの図が示してある。もちろん、フルカラーアレイ等を含む異なるタイプのアレイを考案することもできる。
【０１１３】
記載のプリントヘッドシステムの構成は、本出願人の「Ｉｍａｇｅ  Ｃｒｅａｔｉｏｎ  Ｍｅｔｈｏｄ  ａｎｄ  Ａｐｐａｒａｔｕｓ（ＩＪ４１）」という名称の米国特許第号６，２４３，１１３号明細書に記載のステップを適切に修正することにより標準的なＭＥＭＳ技術を利用して行うことができる。この米国特許の内容は、相互参照により全体が組み込まれる。
【０１１４】
気泡形成加熱要素アクチュエータ
図１７に関して、気泡形成加熱要素アクチュエータのユニットセル１００１は、ノズル１００３をその中に有するノズル板１００２、ノズル縁１００４を有するノズル、及びノズル板を貫通して延在する開口１００５を備える。ノズル板１００２は、後にエッチングされる犠牲材料の上に化学気相成長（ＣＶＤ）によって堆積させる窒化ケイ素構造から、プラズマエッチングにより形成される。
【０１１５】
このプリントヘッドは、各ノズル１００３に関して、ノズル板がその上で支持される側壁１００６、これらの壁及びノズル板１００２によって画定される室１００７、多層基板１００８、並びに多層基板を貫通して基板の向こう側（図示せず）まで延びる吸込路１００９も備える。ループ状の細長い加熱要素１０１０が室１００７内につるされ、その結果この要素はつりげた状（ａｎｎｕｌａｒ  ｎｅｃｋ）になっている。図示のプリントヘッドは微小電気機械システム（ＭＥＭＳ）構造であり、この構造はリソグラフィプロセスによって形成される。
【０１１６】
このプリントヘッドを使用する場合には、つぼ（図示せず）からのインク１０１１が吸込路１００９を通って室１００７に入り、室を充填するようにする。その後、加熱要素１０１０を１マイクロ秒未満でいくらか加熱し、この加熱が熱パルスの形をとるようにする。加熱要素１０１０が加熱されるとこれによりインク中に蒸気泡が生成されるように、要素が室１００７内のインク１０１１と熱接触していることが理解されよう。したがって、インク１０１１が気泡形成液を構成する。
【０１１７】
気泡１０１２は、一度生成されると、室１００７内の圧力を増大させ、これによりインク１０１１の滴１０１６がノズル１００３を通って噴出する。縁１００４は、滴が誤って方向付けられる可能性が最小限となるように、噴出された滴１０１６の方向付けを手助けする。
【０１１８】
１つの吸込路１００９につきノズル１００３及び室１００７が１つずつしかない理由は、要素１０１０の加熱及び気泡１０１２の形成時に室内で生成される圧力波が、隣接する室及びそれら室の対応するノズルに影響を及ぼさないようにするためである。
【０１１９】
室１００７内の圧力増加により、インク１０１１がノズル１００３を経て押し出されるだけでなく、一部のインクが吸込路１００９を通って押し返される。しかしながら、吸込路１００９の長さは約２００〜３００ミクロンであり、直径は約１６ミクロンしかない。したがって、かなりの粘性抵抗が存在する。その結果、室１００７内の圧力上昇の支配的作用は、吸込路９を通してインクを押し返すことではなく、噴出された滴１０１６としてノズル１００３を通して押し出すことである。
【０１２０】
図１７に示すように、噴出されようとしているインク滴１０１６が、滴がちぎれる前のその「ネック形成段階」で示してある。この段階で、気泡１０１２はすでにその最大寸法に達しており、その後崩壊点１０１７に向かって崩壊し始める。
【０１２１】
崩壊点１０１７に向かって気泡１０１２が崩壊することにより、一部のインク１０１１がノズル１００３内部に（滴の側面１０１８から）、一部が吸込路１００９から、崩壊点に向かって引き込まれる。このようにして引き込まれるインク１０１１の大部分はノズル１００３から引き込まれ、それにより滴１６の根元には滴がちぎれる前に環状ネック１０１９が形成される。
【０１２２】
滴１０１６がちぎれるためには、表面張力を打破するためのある程度のはずみを必要とする。インク１０１１は気泡１０１２の崩壊によってノズル１００３から引き込まれるため、ネック１０１９の直径が減少し、それにより滴を保持している表面張力の全体の量が減少し、その結果ノズルから噴出されるときの滴のはずみが、滴がちぎれるのを可能にするほど十分なものとなる。
【０１２３】
滴１０１６がちぎれると、気泡１０１２が崩壊点１０１７に向かって崩壊するため、矢印１０２０で示すようにキャビテーション力が生じる。このキャビテーションが影響を及ぼすことができる崩壊点１０１７付近には固体表面がないことが留意されよう。
【０１２４】
インクジェットカートリッジ
本発明により、上述のようなインクジェットインクを含むインクジェットインクカートリッジも提供される。インクジェットプリンタ用のインクカートリッジは、当技術分野で周知であり、多くの形で入手可能である。好ましくは、本発明のインクジェットカートリッジは交換可能である。本発明での使用に適したインクジェットカートリッジは、下記の特許出願に記載されており、これらの特許出願はすべて参照によりそれら全体が本明細書中に組み込まれる。
6428155,  10/171,987
【０１２５】
１つの好ましい形において、インクカートリッジは、
複数の貯蔵領域を画定するハウジングを備え、貯蔵領域のうち少なくとも１つは人間の目で見える情報を印刷するための着色剤を含み、その他の貯蔵領域のうち少なくとも１つは上述のようなインクジェットインクを含む。
【０１２６】
好ましくは、各貯蔵領域は、多くの印刷ページについての目的とする印刷画線比率に対する、その中身の使用予想レベルに対応する寸法である。
【０１２７】
続いて、本発明によるインクカートリッジを簡単に説明する。図１２は、交換可能なインクカートリッジ６２７の完成組立体を示す。このカートリッジは、固定剤６４４、接着剤６３０、並びにシアン６３１、マゼンタ６３２、イエロー６３３、ブラック６３４及び赤外６３５インクを貯蔵するための溜め又は室を有する。カートリッジ６２７は、ベースモールディング（ｂａｓｅ  ｍｏｌｄｉｎｇ）６３７内にマイクロエアフィルタ６３６も含む。図９に示すように、マイクロエアフィルタ６３６は、ホース６３９を介してプリンタ内部の空気ポンプ６３８と連動する。これにより、プリントヘッド７０５にろ過空気が提供されて、ノズルを詰まらせることがある微粒子のＭｅｍｊｅｔ（登録商標）プリントヘッド７０５への侵入を防ぐ。エアフィルタ６３６をカートリッジ６２７内に組み込むことによって、フィルタの動作寿命がカートリッジの寿命と効果的に関連付けられる。このことによってフィルタは、所要の間隔でフィルタを掃除する又は交換するためにユーザに頼るのではなく確実にカートリッジと共に交換される。さらに、接着剤及び赤外インクが、可視インク及びエアフィルタと共に補充され、それにより、消耗材料の枯渇のためにプリンタ動作が中断される頻度が低減される。
【０１２８】
カートリッジ６２７は、薄壁ケーシング６４０を有する。インク溜め６３１〜６３５及び固定剤溜め６４４は、カートリッジを一緒につるすピン６４５によってケーシング内につるされている。単一の糊溜め６３０は、ベースモールディング６３７内に収容される。このインクカートリッジは、３０００ページ（１５００シート）を印刷し糊で接着する能力を有する完全に再利用可能な製品である。
【０１２９】
基板
上述のように、本発明の染料は、Ｈｙｐｅｒｌａｂｅｌ（登録商標）及びネットページシステムでの使用に特に適している。このようなシステムを以下でより詳細に説明するが、これらのシステムは上記特許出願にも記載されており、すべてが参照により全体が本明細書中に組み込まれる。
【０１３０】
したがって、本発明は、上述のような赤外線吸収染料がその上に配置されている基板を提供する。好ましくは、この基板はインターフェース表面を備える。好ましくは、染料は、ネットページ及び／又はＨｙｐｅｒｌａｂｅｌ（登録商標）システムでの使用に適したコード化データの形で配置される。たとえば、コード化データは、製品品目の身元を示すことができる。好ましくは、コード化データは、基板のインターフェース表面の大部分（たとえば、表面の２０％を超える、５０％を超える、又は９０％を超える）にわたって配置される。
【０１３１】
好ましくは、この基板は、その上に配置された染料をセンシング装置によって検出することができるように赤外反射性である。この基板は、プラスチック（たとえば、ポリオレフィン類、ポリエステル類、ポリアミド類等）、紙、金属又はこれらの組合せなど任意の適切な材料から構成することができる。
【０１３２】
ネットページ用途では、基板は好ましくは紙シートである。Ｈｙｐｅｒｌａｂｅｌ（登録商標）用途では、基板は好ましくはタグ、ラベル、包装材料又は製品品目の表面である。通常、タグ及びラベルはプラスチック、紙又はこれらの組合せで構成される。
【０１３３】
本発明のＨｙｐｅｒｌａｂｅｌ（登録商標）用途によれば、この基板は、センシング装置及びコンピュータシステムを介したユーザとの相互作用に適している双方向製品品目であってもよく、この双方向製品品目は、
身元を有する製品品目と、
この製品品目に関連するインターフェース表面であって、製品品目に関する情報と、上述のような赤外染料を含み、製品品目の身元を示すコード化データとがその上に配置されているインターフェース表面とを備える。
【０１３４】
ネットページ及びＨｙｐｅｒｌａｂｅｌ（登録商標）
本発明のネットページ用途は、上記本発明の第６及び第７の態様に概略が説明されている。本発明のＨｙｐｅｒｌａｂｅｌ（登録商標）用途は、上記本発明の第８及び第９の態様に概略が説明されている。
【０１３５】
続いて、ネットページ及びＨｙｐｅｒｌａｂｅｌ（登録商標）の概要を詳細に説明する（注：Ｍｅｍｊｅｔ（登録商標）及びＨｙｐｅｒｌａｂｅｌ（登録商標）は、オーストラリアのＳｉｌｖｅｒｂｒｏｏｋ  Ｒｅｓｅａｒｃｈ  Ｐｔｙ  Ｌｔｄの登録商標である）。すべての実施が必ずしも、この基本システムに関して以下に説明する具体的な詳細及び拡張のすべてを又は大部分を具体化するわけではないことが理解されよう。しかしながら、本発明の好ましい実施形態及び態様が作用する背景を理解しようと試みる場合の外部参照の必要性を低減するために、本システムをその最も完成された形で説明する。
【０１３６】
概要において、ネットページシステムの好ましい形は、マップ表面、すなわち、コンピュータシステムに保持されている表面のマップについての参照を含む物理的表面の形のコンピュータインターフェースを利用する。適切なセンシング装置によって、マップの参照にクエリーを実行することができる。具体的な実施に応じて、マップの参照を可視的に又は不可視的に符号化することができ、マップ表面についてのローカルクエリーによりマップ内でも異なるマップ間でも一義的なマップ参照がもたらされるように定義することができる。コンピュータシステムは、マップ表面の特徴についての情報を含むことができ、このような情報は、マップ表面と共に使用されるセンシング装置によって供給されるマップの参照に基づき取り出すことができる。したがって、取り出された情報は、オペレータの表面特徴との相互作用を受けてオペレータの代わりにコンピュータシステムよって開始されるアクションの形をとることができる。
【０１３７】
この好ましい形では、ネットページシステムはネットページの生成及び人間のネットページとの相互作用を利用する。これらは、普通紙に印刷されるテキスト、グラフィックス及び画像のページであるが、対話型ウェブページのように機能する。情報は、人間の肉眼では実質的には見えないインクを用いて各ページ上で符号化される。しかしながら、このインクは、またそれによるコード化データは、光学画像化ペンによって感知し、ネットページシステムに送信することができる。
【０１３８】
この好ましい形では、各ページ上のアクティブボタン及びハイパーリンクをこのペンでクリックして、ネットワークからの情報を要求する又はネットワークサーバに好みを信号で伝えることができる。一実施形態では、ネットページ上の手書きのテキストを自動的に認識し、ネットページシステムでコンピュータテキストに変換することができ、それにより書式に記入することが可能となる。他の諸実施形態では、ネットページ上に記録された署名を自動的に照合することができ、それにより電子商取引を安全に承認することが可能となる。
【０１３９】
図１に示すように、印刷されたネットページ１は、ユーザが印刷ページ上で物理的に記入することも、ペンとネットページシステムとの間の通信により「電子的に」記入することもできる対話型書式を表すことができる。この例は、名前及び住所の欄と提出ボタンとを含む「リクエスト」フォームを示す。このネットページは、可視インクを用いて印刷された図形データ２、及び不可視インクを用いてタグ４の一群として印刷されたコード化データ３で構成される。ネットページネットワーク上で格納されている対応するページ記述５には、ネットページの個々のエレメントが記載されている。特に、ページ記述５には、ネットページを介した入力をネットページシステムが正しく解釈することが可能となるように、各対話型エレメント（すなわち、この例ではテキストフィールド又はボタン）のタイプ及び空間広がり（ゾーン）が記載されている。たとえば、提出ボタン６は、対応する図形８の空間広がりに対応するゾーン７を有する。
【０１４０】
図２に示すように、その好ましい形が図６及び図７に示され且つ以下により詳細に記載されているネットページペン１０１は、パーソナルコンピュータ（ＰＣ）、ウェブターミナル７５又はネットページプリンタ６０１と連動して動作する。ネットページプリンタは、家庭用、オフィス用又は携帯用のインターネット接続印刷機器である。ペンは無線であり、短距離無線リンク９を介してネットページネットワークと安全に通信する。ＰＣ、ウェブターミナル又はネットページプリンタに組み込まれている、或いは別個の中継装置４４によって提供される局所的中継機能によって、短距離無線がネットページネットワークに中継される。この中継機能は、携帯電話或いは短距離通信機能と長距離通信機能とが共に組み込まれている他の装置によって提供することもできる。
【０１４１】
代替実施形態では、ネットページペンは、ＵＳＢなどの有線接続或いは他の直列接続を利用して、ＰＣ、ウェブターミナル、ネットワークプリンタ又は中継装置に接続する。
【０１４２】
その好ましい形が図９〜図１１に示され且つ以下により詳細に記載されているネットページプリンタ６０１は、対話型ネットページとしてすべて高品質に印刷された個人用の新聞、雑誌、カタログ、パンフレット及び他の刊行物を、定期的に又は要求に応じて配信することが可能である。パーソナルコンピュータとは異なり、このネットページプリンタは、ユーザのキッチン内、朝の食卓の近く、その日の一家の出発地点の近くなど、たとえば朝のニュースを最初に視聴する領域に隣接した壁掛け式であってもよい機器である。ネットページプリンタは、テーブルトップ型、デスクトップ型、携帯型、及び小型のバージョンでも提供される。
【０１４３】
その視聴地点で印刷されたネットページでは、紙の使いやすさが対話型媒体の適時性及び双方向性と組み合わさっている。
【０１４４】
図２に示すように、ネットページペン１０１は印刷されたネットページ１（又は製品品目２０１）上のコード化データと相互作用し、この相互作用を、短距離無線リンク９を介して中継装置に伝達する。中継装置は、解釈のためにこの相互作用を関連するネットページサーバ１０に送信する。適切な状況においては、ページサーバは、ネットページアプリケーションサーバ１３上で起動するアプリケーションコンピュータソフトウエアに対応するメッセージを送信する。このアプリケーションサーバは、発信プリンタで印刷される応答を送信することができる。
【０１４５】
代替実施形態では、ＰＣ、ウェブターミナル、ネットページプリンタ又は中継装置は、ローカル又はリモートウェブサーバを含む、ローカル又はリモートアプリケーションソフトウエアと直接通信することができる。関連して、出力は、ネットページプリンタによって印刷されるものに限定されない。ＰＣ又はウェブターミナル上に出力を表示することもでき、またさらなる相互作用が紙ベースではなくスクリーンベースであっても、或いはこれら２つの混合であってもよい。
【０１４６】
このネットページシステムは、高速微小電気機械システム（ＭＥＭＳ）に基づくインクジェット（Ｍｅｍｊｅｔ（登録商標））プリンタと併せて使用することによって、好ましい実施形態においてはるかに便利なものとなる。この技術の好ましい形においては、比較的高速で且つ高品質の印刷が消費者にとってより手ごろな価格となる。その好ましい形では、ネットページの出版物は、ナビゲーションが容易で、取扱いが快適であるように製本されている、両面ともフルカラーで印刷されている一組のレターサイズの光沢ページなど、伝統的なニュース雑誌の物理的特性を有する。
【０１４７】
ネットページプリンタは、ブロードバンドインターネットアクセスの利用可能性の増大を活用する。ケーブルサービスは、米国において９５％の世帯で利用可能であり、ブロードバンドインターネットアクセスを提供するケーブルモデムサービスはすでに２０％の世帯で利用可能である。ネットページプリンタは、より遅い接続で動作することもできるが、配信時間が長くなり、画質も低下する。実際には、既存の消費者向けインクジェット及びレーザプリンタを用いてこのネットページシステムを有効にすることができるが、システムがよりゆっくり動作することになり、したがって消費者の視点からするとより受け入れ難いものとなる。他の諸実施形態では、このネットページシステムが個人用のイントラネット上に設けられる。さらに他の諸実施形態では、ネットページシステムが、単一のコンピュータ又はプリンタなどコンピュータにより有効となる装置上に設けられる。
【０１４８】
ネットページネットワーク上のネットページパブリケーションサーバ１４は、ネットページプリンタに印刷質の出版物を配信するように構成される。定期刊行物は、ポイントキャスティング及びマルチキャスティングのインターネットプロトコルを介して契約しているネットページプリンタに自動的に配信される。個人用の出版物は、個々のユーザのプロファイルに従ってフィルタをかけ書式を整える。
【０１４９】
ネットページプリンタは、任意の数のペンをサポートするように構成することができ、ペンは任意の数のネットページプリンタと共に動作することができる。好ましい実施において、各ネットページペンは固有の識別子を有する。１つの世帯が色付きのネットページペンの一群を有し、家族の各メンバーに１つずつ割り当てることができる。これにより、各ユーザがネットページパブリケーションサーバ又はアプリケーションサーバに対して明確に異なるプロファイルを保持することが可能となる。
【０１５０】
ネットページペンをネットページ登録サーバ１１に登録し、１つ又は複数の支払いカード口座に関連付けることもできる。これにより、電子商取引の支払いを、ネットページペンを用いて安全に承認することが可能となる。ネットページ登録サーバは、ネットページペンが捕らえた署名を前もって登録された署名と比較し、それにより電子商取引サーバに対してユーザの身元を認証することが可能となる。他のバイオメトリクスを使用して本人であることを確かめることもできる。ネットページペンのバージョンには、ネットページ登録サーバによって同様にして照合される指紋の走査が含まれる。
【０１５１】
ネットページプリンタは、ユーザの操作なしで朝刊などの定期刊行物を配信することができるが、未承諾ジャンクメールを配信しないように構成することができる。その好ましい形では、ネットページプリンタは、申し込まれた又はそうでなければ認証された情報源からの定期刊行物を配信するだけである。この点において、ネットページプリンタは、電話番号又は電子メールアドレスを知る任意のジャンクメール発送業者には明らかとなるファックス装置又は電子メールアカウントとは異なる。
【０１５２】
１  ネットページシステムアーキテクチャ
このシステムにおける各オブジェクトモデルは、統一モデリング言語（ＵＭＬ）クラス図を用いて記載される。クラス図は、関係によって相互に関連付けられる一組のオブジェクトクラスで構成され、ここで関心のある２種類の関係は、関連性及び一般化である。関連性は、オブジェクト間、すなわちクラスのインスタンス間のある種の関係を示す。一般化は、実際のクラスを関係付け、以下のようにして理解することができる：あるクラスがそのクラスのすべてのオブジェクトの組と考えられ、クラスＡがクラスＢの一般化である場合、Ｂは単純にＡのサブセットである。ＵＭＬは、二次モデリング、すなわちクラスのクラスを直接はサポートしていない。
【０１５３】
各クラスは、クラスの名称でラベル付けした四角形として描かれる。各クラスは、水平線によって名称と区別されるクラスの属性のリストと、水平線によって属性リストと区別されるクラスの動作のリストとを含む。しかしながら、以下のクラス図では、動作はモデル化されない。
【０１５４】
関連性は、任意選択で片側がその関連性の多重度（ｍｕｌｔｉｐｌｉｃｉｔｙ）でラベル付けされた、２つのクラスを結び付ける線として描かれる。デフォルトの多重度は１である。アスタリスク（＊）は、「多数」の多重度、すなわちゼロ以上であることを示す。各関連性は任意選択でその名前でラベル付けされ、また任意選択で片側が対応するクラスのロールでもレベル付けされる。白抜きのひし形はアグリゲーションの関連性を示し（「ｉｓ−ｐａｒｔ−ｏｆ」）、関連線のアグリゲータ端部に描かれる。
【０１５５】
一般化の関係（「ｉｓ−ａ」）は、一般化の端部で（白抜きの三角形の形の）矢印を有する、２つのクラスを結び付ける実線として描かれる。
【０１５６】
クラス図を複数の図に分割した場合、重複している任意のクラスは、それを定義する主な図以外のすべてが破線の輪郭で示される。このクラスは、それが定義されている属性のみを用いて示してある。
【０１５７】
１．１  ネットページ
ネットページは、その上にネットページネットワークが構築される基盤である。ネットページは、公表済み情報及び双方向サービスに対して紙ベースのユーザインターフェースを提供する。
【０１５８】
ネットページは、ページのオンライン記述に関して不可視にタグ付けされた印刷ページ（又は他の表面領域）で構成される。オンラインページの記述は、ネットページサーバによって持続的に保持される。ページ記述には、テキスト、グラフィックス及び画像を含む、ページの可視レイアウト及び内容が記載されている。また、ページ記述には、ボタン、ハイパーリンク及び入力フィールドを含む、ページ上の入力エレメントも記載されている。ネットページにより、その表面にネットページペンで作成したマーキングを、ネットページシステムによって同時に捕らえ処理することが可能となる。
【０１５９】
複数のネットページが同じページ記述を共有することができる。しかしながら、そうでなければ同一であるページを通じての入力を区別することを可能にするためには、各ネットページに固有のページ識別子が割り当てられる。このページＩＤは、非常に多くのネットページを区別するのに十分な精度を有する。
【０１６０】
ページ記述についての各参照は、印刷されたタグ内で符号化される。このタグは、そのタグが載っている固有のページを識別し、それによりページ記述を間接的に識別する。またこのタグは、ページ上でのそれ自体の位置も認識する。これらのタグの特性を以下により詳細に説明する。
【０１６１】
タグは、普通紙など赤外反射性の任意の基板上に赤外線吸収インクで印刷される。近赤外波長は人間の目には見えないが、適切なフィルタを有する固体画像センサによって容易に感知される。
【０１６２】
タグは、ネットページペン内のエリアイメージセンサによって感知され、タグデータは最も近いネットページプリンタを介してネットページシステムに送信される。このペンは無線であり、短距離無線リンクを介してネットページプリンタと通信する。ページを１回クリックするだけでもペンが少なくとも１つのタグを確実に撮像することができるように、タグは十分に小さく、密に配列されている。ペンがページとの相互作用すべてについてページＩＤ及び位置を認識することが重要であり、というのは、相互作用はステートレスであるからである。タグは、表面損傷に対して部分的に耐性となるように、エラー補正可能に符号化される。
【０１６３】
ネットページページサーバは、各印刷ネットページについての固有のページインスタンスを保持し、それにより各印刷ネットページについてのページ記述における入力フィールドについて明確に異なる一組のユーザが供給した値を保持することが可能となる。
【０１６４】
ページ記述、ページインスタンス、及び印刷ネットページとの関係を図４に示す。印刷ネットページは、印刷ネットページドキュメント４５の一部でよい。ページインスタンスは、ページインスタンスを印刷したネットページプリンタと、わかっていれば、ページインスタンスを請求したネットページユーザとの両方に関連している。
【０１６５】
図４に示すように、１つ又は複数のネットページを、例えば製品品目のラベル、包装又は実際の表面上に印刷した場合には、製品品目などの物理的物体と関連付けることもできる。
【０１６６】
１．２  ネットページタグ
１．２．１  タグデータコンテンツ
好ましい形では、各タグがその出現領域、及び領域内でのそのタグの位置を認識する。タグは、領域全体に又はタグに関連するフラグを含むこともできる。１つ又は複数のフラグビットは、タグの隣接領域に関連する機能を示すフィードバックをセンシング装置が領域の記述を参照する必要なしに提供するために、たとえば、タグセンシング装置に信号を送ることができる。ネットページペンは、たとえば、ハイパーリンクのゾーン内にある場合に「活性領域」ＬＥＤを点灯させることができる。
【０１６７】
以下により明確に説明するように、好ましい一実施形態では、各タグが容易に認識される不変構造を含み、この不変構造は、初期検出を援助し、表面又はセンシングプロセスによって誘発される任意の反りの作用の最小化を支援する。これらのタグは、好ましくはページ全体をタイル状にし、ページを１回クリックするだけでもペンが少なくとも１つのタグを確実に撮像することができるように、タグは十分に小さく、密に配列されている。ペンがページとの相互作用すべてについてページＩＤ及び位置を認識することが重要であり、というのは、相互作用は処理状態を把握しない（ｓｔａｔｅｌｅｓｓ）であるからである。
【０１６８】
好ましい一実施形態では、タグが参照する領域がページ全体と一致し、したがってタグ内で符号化された領域ＩＤはタグが載っているページのページＩＤと同義である。他の諸実施形態では、タグが参照する領域が、ページの任意のサブ領域であっても、又は他の表面であってもよい。たとえば、タグが参照する領域が対話型エレメントのゾーンと一致していてもよく、この場合、領域ＩＤは対話型エレメントを直接認識することができる。
【０１６９】
好ましい形において、各タグは１２０ビットの情報を含む。領域ＩＤには通常最大１００ビット、タグＩＤには少なくとも１６ビット割り当てられ、残りのビットはフラグ等に割り当てられる。タグの密度が１平方インチにつき６４個であると仮定すると、１６ビットのタグＩＤは最大１０２４平方インチの領域寸法をサポートする。単に隣接する領域及びマップを用いることによって、タグＩＤの精度を増大させることなく連続してより大きい領域をマップすることができる。１００ビットの領域ＩＤにより、２１００（〜１０３０又は１兆の１兆倍の１０万倍）個の異なる領域を固有に認識することが可能となる。
【０１７０】
１．２．２  タグデータ符号化
一実施形態では、この１２０ビットのタグデータを、（１５，５）リードソロモン符号を用いて冗長的に符号化する。これにより、各々が１５個の４ビット記号である６個の符号語からなる３６０個の符号化ビットがもたらされる。この（１５，５）符号により、符号語につき最大５個の記号誤りを訂正することが可能となり、すなわち、この符号は、符号語につき最大３３％の記号誤り率に耐えるものである。
【０１７１】
各４ビット記号はタグ内で空間的に理路整然と（ｃｏｈｅｒｅｎｔ）表され、６個の符号語の記号はタグ内で空間的にインターリーブされている。これにより、バースト誤り（空間的に隣接する複数のビットに影響を与える誤り）は確実に記号全体の最小数及びいずれか１つの符号語中の記号の最小数にしか損傷を与えず、したがってバースト誤りを完全に訂正することができる可能性が最大となる。
【０１７２】
任意の適切な誤り訂正符号、たとえば、多かれ少なかれ冗長性を有し、同じ又は異なる記号及び符号語のサイズを有するリードソロモン符号、別のブロック符号、或いは畳み込み符号など異なる種類のコードを（１５，５）リードソロモン符号の代わりに使用することができる（たとえば、その内容が参照により本明細書中に組み込まれるＳｔｅｐｈｅｎ  Ｂ．Ｗｉｃｋｅｒ、Ｅｒｒｏｒ  Ｃｏｎｔｒｏｌ  Ｓｙｓｔｅｍｓ  ｆｏｒ  Ｄｉｇｉｔａｌ  Ｃｏｍｍｕｎｉｃａｔｉｏｎ  ａｎｄ  Ｓｔｏｒａｇｅ、Ｐｒｅｎｔｉｃｅ−Ｈａｌｌ  １９９５を参照のこと）。
【０１７３】
センシング装置を介してタグ付けされた領域との「単一クリック（ｓｉｎｇｌｅ−ｃｌｉｃｋ）」相互作用をサポートするためには、センシング装置が、少なくとも１つのタグ全体を、タグが領域内のどこに位置するのか又はどんな向きで位置するのかを問わずその視野内に確かめることが可能でなければならない。したがって、センシング装置の視野の所要直径は、タグの寸法及び間隔の関数である。
【０１７４】
１．２．３  タグ構造
図５ａは、４つの透視ターゲット１７を有するタグ７２６の形のタグ４を示す。タグ７２６は、合計２４０ビットとなる６０個の４ビットのリードソロモン記号７４７を表す。このタグでは、マクロドットと称されるマーク７４８の存在によって各「１」ビットを示し、対応するマクロドットの不在によって各「０」ビットを示す。図５ｃは、９個のタグの四角形のタイリング７２８を示し、説明のためにすべての「１」ビットを含んでいる。透視ターゲットは隣接するタグ間で共有されるように設計されていることが理解されよう。図５ｄは、１６個のタグの四角形のタイリング及び対応する最小視野１９３を示し、最小視野１９３は２個のタグの対角線にわたって広がる。
【０１７５】
（１５，７）リードソロモン符号を用いて、１１２ビットのタグデータを冗長的に符号化して２４０符号化ビットを生成する。４つの符号語は、バースト誤りに対する耐性を最大限に引き出すために、タグ内に空間的にインターリーブされている。前述同様に１６ビットのタグＩＤを仮定すると、これにより最大９２ビットの領域ＩＤが可能となる。
【０１７６】
タグのデータ保持マクロドット７４８は、隣接するマクロドットと重ならないように設計され、したがってタグの群がターゲットに似た構造を形成することはできない。これによりインクも節約される。透視ターゲットによりタグの検出が可能となるため、さらなるターゲットは必要ない。
【０１７７】
センサに対するタグの４つの可能な向きの一義化（ｄｉｓａｍｂｉｇｕａｔｉｏｎ）が可能となるように、タグは配向特性を含むことができるが、本発明は配向データをタグデータに組み込むことに関係している。たとえば、図５ａに示すように、各タグの向き（回転の意味で）がその向きで配置された１つの符号語を含むように４つの符号語を配列することができる、その場合、各記号はその符号語の数字（１〜４）及び符号語内の記号の位置（Ａ〜Ｏ）でラベル付けされている。次いで、タグの解読は、各回転配向で１つの符号語を解読することで構成される。各符号語は、第１の符号語であるかどうかを示す単一ビット、又はどちらの符号語であるかを示す２つのビットを含むことができる。後者の手法は、たとえば、たった１つの符号語のデータコンテンツしか必要としない場合には、所望のデータを得るためにせいぜい２つの符号語を解読する必要があるだけであるという利点を有する。このことは、領域ＩＤがストローク内で変化するものとは期待されず、したがってストロークの開始時に解読されるだけである場合に当てはまることがある。ストローク内では、この場合タグＩＤを含む符号語のみが望まれる。さらに、センシング装置の回転はストローク内でゆっくりと、また予測可能に変化するため、通常たった１つの符号語をフレームごとに解読する必要があるだけである。
【０１７８】
透視ターゲットを完全に省略し、代わりに自動記録のデータ表現を利用することが可能である。この場合、各ビット値（又はマルチビット値）は通常明示的グリフによって表される、すなわち、ビット値はグリフの不在によっては表されない。これにより、確実にデータグリッドがうまく占有され、したがってグリッドを確実に認識し、データサンプリング中にその透視ひずみを検出しその後訂正することが可能となる。タグの境界を検出することを可能にするためには、各タグデータがマーカパターンを含まなければならず、これらのマーカパターンを確実な検出を可能にするために冗長的に符号化しなければならない。このようなマーカパターンのオーバーヘッド（ｏｖｅｒｈｅａｄ）は、明示的透視ターゲットのオーバーヘッドと類似している。このような様々なスキームは、２００１年１０月１１日に出願された、本出願人の同時係属ＰＣＴ出願ＰＣＴ／ＡＵ０１／０１２７４に記載されている。
【０１７９】
図５ｃの配置７２８は、四角形のタグ７２６を使用して任意の寸法の平面を完全に、すなわち、ギャップ又は重なることなくタイル状又はモザイク状にすることができることを示す。
【０１８０】
好ましい諸実施形態では、本明細書中に記載されているタグ付けスキームが、単一の区別されていないマクロドットの有無を用いてシングルデータビットを符号化するが、２００１年１０月１１日に出願された、本出願人の同時係属ＰＣＴ出願ＰＣＴ／ＡＵ０１／０１２７４に示されているグリフの組など、区別されているグリフの組を使用してシングルビット値又はマルチビット値を表すこともできる。
【０１８１】
１．３  ネットページネットワーク
好ましい一実施形態では、ネットページネットワークが、図３に示すように、インターネットなどのネットワーク１９を介して接続されている分散した一組のネットページのページサーバ１０、ネットページ登録サーバ１１、ネットページＩＤサーバ１２、ネットページアプリケーションサーバ１３、ネットページパブリケーションサーバ１４、ウェブターミナル７５、ネットページプリンタ６０１及び継電装置４４で構成される。
【０１８２】
ネットページ登録サーバ１１は、ユーザと、ペンと、プリンタと、アプリケーションと、パブリケーションとの関係を記録し、それにより様々なネットワーク活動を承認するサーバである。このネットページ登録サーバは、ユーザを認証し、アプリケーショントランザクションにおいて認証されたユーザの代わりに署名プロキシとして働く。このネットページ登録サーバは、手書き認識サービスも提供する。上述のように、ネットページページサーバ１０は、ページ記述及びページインスタンスについての永続的情報を保持する。このネットページネットワークは、各々がページインスタンスのサブセットを処理する任意の数のページサーバを備える。ページサーバは各ページインスタンスについてのユーザ入力値も保持するため、ネットページプリンタなどのクライアントはネットページ入力を適切なページサーバに直接送信する。ページサーバは、任意のこのような入力を対応するページの記述に対して解釈する。
【０１８３】
ネットページＩＤサーバ１２は、要求に応じてドキュメントＩＤ５１を割り当て、ＩＤ割り当てスキームによりページサーバのロードバランシングを提供する。
【０１８４】
ネットページプリンタは、Ｉｎｔｅｒｎｅｔ  Ｄｉｓｔｒｉｂｕｔｅｄ  Ｎａｍｅ  Ｓｙｓｔｅｍ（ＤＮＳ）又は類似するシステムを使用して、ネットページＩＤ５０を、対応するページインスタンスを処理するネットページページサーバのネットワークアドレスに分解する。
【０１８５】
ネットページアプリケーションサーバ１３は、対話型ネットページアプリケーションを提供するサーバである。ネットページパブリケーションサーバ１４は、ネットページプリンタにネットページドキュメントを発行するアプリケーションサーバである。
【０１８６】
ネットページサーバは、ＩＢＭ、ヒューレットパッカード、Ｓｕｎなどの製造業者からの様々なネットワークサーバプラットフォーム上に設けられる。複数のネットページサーバを単一のホスト上で同時に起動させることができ、また単一のサーバを多くのホスト上で配信することができる。ネットページサーバによって提供される機能の一部又はすべて、特に、ＩＤサーバ及びページサーバによって提供される機能を、ネットページプリンタなどのネットページ機器において、コンピュータワークステーションにおいて、又はローカルネットワーク上で直接提供することもできる。
【０１８７】
１．４  ネットページプリンタ
ネットページプリンタ６０１は、ネットページシステムに登録され、申込みにより要求に応じてネットページドキュメントを印刷する機器である。各プリンタは固有のプリンタＩＤ６２を有し、インターネットなどのネットワークを介して、理想的にはブロードバンド接続を介してネットページネットワークに接続されている。
【０１８８】
不揮発性メモリにおける識別及びセキュリティの設定はさておき、ネットページプリンタは永続的記憶を含まない。ユーザが関与している限り、「ネットワークがコンピュータである」。ネットページは、特定のネットページプリンタとは独立に、分散型ネットページページサーバ１０の助けを借りて時空間にわたってインタラクティブに機能する。
【０１８９】
ネットページプリンタは、申し込まれたネットページドキュメントをネットページパブリケーションサーバ１４から受け取る。各ドキュメントは２つの部分、ページレイアウトとページを占有する実際のテキスト及び画像オブジェクトとで配信される。個人化（ｐｅｒｓｏｎａｌｉｚａｔｉｏｎ）のため、ページレイアウトは通常特定の加入者に特有であるため、適切なページサーバを介して加入者のプリンタにポイントキャストとなっている。一方、テキスト及び画像オブジェクトは通常、他の加入者と共有されるため、すべての加入者のプリンタ及び適切なページサーバにマルチキャストとなっている。
【０１９０】
ネットページパブリケーションサーバは、ドキュメントコンテンツのセグメンテーション（ｓｅｇｍｅｎｔａｔｉｏｎ）をポイントキャスト及びマルチキャストに最適化する。ドキュメントのページレイアウトのポイントキャストを受信した後、プリンタは、もしあれば、どのマルチキャストをリッスンするのかがわかる。
【０１９１】
プリンタは、印刷しようとするドキュメントを定義する完全なページレイアウト及びオブジェクトを受け取ったら、ドキュメントを印刷することができる。
【０１９２】
プリンタは、シートの両面に奇数ページと偶数ページとを同時にラスタライズ印刷する。このプリンタは、二重プリントエンジンコントローラ７６０及びこの目的用のＭｅｍｊｅｔ（登録商標）プリントヘッド３５０を利用するプリントエンジンを含む。
【０１９３】
印刷プロセスは、２つの分離段階、ページ記述のラスタ化並びにページ画像の拡大及び印刷で構成される。ラスタ画像処理装置（ＲＩＰ）は、並行して起動する１つ又は複数の標準的なＤＳＰ７５７で構成される。二重プリントエンジンコントローラは、プリントエンジン内のプリントヘッドの動作と同期してページ画像をリアルタイムで拡大し、ディザーし（ｄｉｔｈｅｒ）、印刷するカスタムプロセッサで構成される。
【０１９４】
赤外線印刷が可能ではないプリンタには、赤外線吸収ブラックインクを用いてタグを印刷する選択肢があるが、これによりタグは、ページのそうでなければ空の領域に制限される。このようなページの機能は、赤外線印刷されたページよりも限定されるが、それでもやはりネットページとして分類される。
【０１９５】
通常のネットページプリンタは、ネットページを紙シート上に印刷する。より特殊化されたネットページプリンタは、球体などのより特殊な表面上に印刷することができる。各プリンタは、少なくとも１つの表面タイプをサポートし、また各表面タイプについて少なくとも１つのタグタイリングスキーム、したがってタグマップをサポートする。あるドキュメントを印刷するために実際に使用されるタグタイリングスキームを記述するタグマップ８１１は、ドキュメントのタグを正確に解釈することができるようにそのドキュメントと関連付けられる。
【０１９６】
図２は、ネットページネットワーク上の登録サーバ１１によって保持されるプリンタに関連する情報を反映する、ネットページプリンタのクラス図を示す。
【０１９７】
１．５  ネットページペン
ネットページシステムの能動センシング装置は通常ペン１０１であり、このペン１０１は、その組込みコントローラ１３４を用いて、イメージセンサを介してページから赤外位置タグを捕らえ解読することが可能である。イメージセンサは、近赤外波長のみでセンシングが可能となるように適切なフィルタを備える固体装置である。以下により詳細に説明するように、このシステムはペン先が表面に接触しているときに感知することが可能であり、ペンは人間の筆跡を捕らえるのに十分な速度（すなわち、２００ｄｐｉ以上及び１００Ｈｚ以上）でタグを感知することが可能である。ペンが捕らえた情報は暗号化され、プリンタ（又は基地局）に無線で送信される。プリンタ又は基地局は、（既知の）ページ構造に対してデータを解釈する。
【０１９８】
ネットページペンの好ましい実施形態は、通常のマーキング用インクペンとしても、また非マーキング用スタイラスとしても機能する。しかしながら、インターネットインターフェースとして使用する場合など、このネットページシステムをブラウジングシステムとして使用する場合には、マーキング用の態様は必要ない。各ネットページペンは、ネットページシステムに登録され、固有のペンＩＤ６１を有する。図１４は、ネットページネットワーク上の登録サーバ１１によって保持されるペンに関連する情報を反映する、ネットページペンのクラス図を示す。
【０１９９】
いずれかのペン先がネットページと接触している場合、ペンはその位置及び向きをページに対して決定する。このペン先を力センサに取り付け、ペン先に加わる力をしきい値に対して解釈して、ペンが「アップ」であるか「ダウン」であるかを示す。これにより、ページ上の対話型エレメントを、たとえばネットワークからの情報を要求するために、ペンのペン先で押すことによって「クリックする」ことが可能となる。さらに、この力を、たとえば署名のフルダイナミクスを照合することを可能にするために、連続値として捕らえる。
【０２００】
ペンは、ネットページ上にあるそのペン先の位置及び向きを、ページのペン先付近の領域１９３を赤外スペクトルにおいて撮像することによって決定する。ペンは最も近いタグを解読し、撮像したタグについて観測された透視ひずみ及びペンの光学系の既知の幾何学的配置（ｇｅｏｍｅｔｒｙ）からタグに対するペン先の位置を計算する。ページ上のタグ密度はタグ寸法に反比例するため、タグの位置分解能が低いことがあるが、調整後の位置分解能は非常に高く、正確な手書き認識に必要とされる最低限の分解能を超える。
【０２０１】
ネットページに対するペンの作用は、一連のストローク（ｓｔｒｏｋｅｓ）として捕らえられる。ストロークは、ペンダウンイベントで始まりペンアップイベントで完了する、ページ上での一連のタイムスタンプされたペン位置で構成される。またストロークも、通常の状況下ではストロークの開始時にあるページＩＤが変化するといつでも、ネットページのページＩＤ５０でタグ付けされる。
【０２０２】
各ネットページペンは、ペンに関連する最新の選択８２６を有し、それによりユーザがコピーアンドペースト操作等を行うことが可能となる。規定の期間後にシステムが選択を破棄することが可能となるように、この選択はタイムスタンプされる。最新の選択はページインスタンスの領域を記述する。この選択は、ページの背景領域に対してペンにより捕らえられた最も新しいデジタルインクストロークで構成される。この選択は、選択ハイパーリンクの起動によりアプリケーションに提示されると、アプリケーションに特有のやり方で解釈される。
【０２０３】
各ペンは最新のペン先８２４を有する。これは、ペンによってシステムに最後に通知されたペン先である。上述のデフォルトのネットページペンの場合、マーキング用のブラックインクのペン先又は非マーキング用のスタイラスのペン先が最新となる。各ペンはまた、最新のペン先スタイル８２５も有する。これは、アプリケーションによって、たとえば、パレットからある色を選択するユーザに応えて、最後にペンと関連するペン先スタイルである。デフォルトのペン先スタイルは、最新のペン先に関係するペン先スタイルである。ペンによって捕らえられるストロークは、最新のペン先スタイルでタグ付けされる。これらのストロークを後に再現する場合には、これらのストロークにタグ付けされたペン先スタイルで再現する。
【０２０４】
ペンが通信することができるプリンタの範囲内にある場合はいつでも、ペンはその「ｏｎｌｉｎｅ」ＬＥＤをゆっくりと点滅させる。ペンがページに対するストロークを解読し損ねた場合には、その「ｅｒｒｏｒ」ＬＥＤを瞬間的に作動させる。ペンがページに対するストロークの解読に成功した場合には、その「ｏｋ」ＬＥＤを瞬間的に作動させる。
【０２０５】
一連の捕らえられたストロークは、デジタルインクと称される。デジタルインクは、図面及び筆跡のデジタル交換、筆跡のオンライン認識並びに署名のオンライン照合ための基礎を形成する。
【０２０６】
ペンは無線であり、短距離無線リンクを介してネットページプリンタにデジタルインクを送信する。送信されたデジタルインクは、プライバシー及びセキュリティのために暗号化され、効率的な送信のためにパケット化されるが、プリンタ内での適時処理を確実に行うために、常にペンアップイベントの際に出力される。
【０２０７】
ペンがプリンタの範囲外にある場合、ペンは、１０分間の連続した手書きを超える容量を有する内部メモリにデジタルインクをバッファリングする。ペンが再びプリンタの範囲内にある場合、ペンは任意のバッファリングされているデジタルインクを転送する。
【０２０８】
ペンは任意の数のプリンタに登録することができるが、あらゆる状態のデータが紙面上のネットページにもネットワーク上のネットページにも存在するため、任意の特定の時間にどのプリンタとペンが通信しているのかは概して重要ではない。
【０２０９】
このペンの好ましい一実施形態を、図６〜図８を参照して以下により詳細に説明する。
【０２１０】
１．６  ネットページ相互作用
ネットページプリンタ６０１は、ペンを使用してネットページ１と相互作用する場合、ペン１０１からストロークに関連するデータを受け取る。タグ４のコード化データ３は、ペンを使用してストロークなどの動きを実行する場合、ペンによって読み取られる。このデータにより、特定のページ及び関連する対話型エレメントの身元を決定することが可能となり、またページに対するペンの相対的な位置決めの指標を得ることができる。この指標データはプリンタに転送され、プリンタは、ＤＮＳにより、ストロークのページＩＤ５０を、対応するページインスタンス８３０を保持するネットページページサーバ１０のネットワークアドレスに分解する。次いで、プリンタはストロークをページサーバに送信する。ページが先のストロークで最近認識された場合、プリンタは関連のあるページサーバのアドレスをすでにそのキャッシュに有していることがある。各ネットページは、ネットページページサーバによって永続的に保持されるコンパクトなページレイアウトで構成される（以下を参照のこと）。ページレイアウトとは、通常ネットページネットワーク上の他の場所に格納されている画像、テキストのフォント及びピースなどのオブジェクトを指す。
【０２１１】
ページサーバがペンからストロークを受け取ると、ページサーバは、ストロークに当てはまるページ記述を取り出し、ストロークがページ記述のどのエレメントと交差するかを決定する。次いでページサーバは、関連するエレメントのタイプに照らしてストロークを解釈することができる。
【０２１２】
「クリック」は、ペンダウン位置と後のペンアップ位置との間の距離及び時間が共にある程度小さい最大値よりも小さいストロークである。クリックによって有効となるオブジェクトには通常、クリックを作動させることが必要となり、したがってより長いストロークは無視される。「いいかがげんな」クリックなど、登録すべきペンのアクションの失敗は、ペンの「ｏｋ」ＬＥＤからの応答の欠如によって示される。
【０２１３】
ネットページのページ記述には２種類の入力エレメント、ハイパーリンク及び書式フィールドがある。書式フィールドを介した入力により、関連するハイパーリンクの起動をトリガーすることもできる。
【０２１４】
２  ネットページペンの記述
２．１  ペンの仕組み
図６及び図７を参照すると、参照番号１０１で一般に表されるペンが、ペンの構成部品を実装するための内部空間１０４を画定する壁１０３を有するプラスチック成形物の形のハウジング１０２を備える。ペン上部１０５は操作中、ハウジング１０２の一端部１０６に回転可能に実装される。半透明のカバー１０７は、ハウジング１０２の他端部１０８に固定されている。このカバー１０７も成形プラスチック製であり、ユーザがハウジング１０２内に実装されているＬＥＤの状態を見ることを可能にするために、半透明の材料から形成されている。カバー１０７は、ハウジング１０２の端部１０８を実質的に取り囲む主要部分１０９と、主要部分１０９から後方に突き出ており、且つハウジング１０２の壁１０３に形成されている対応するスロット１１１内に適合する突出部１１０とを備える。無線アンテナ１１２は、ハウジング１０２内で突出部１１０の後方に実装されている。カバー１０７の開口１１３Ａを取り囲むねじ山１１３は、対応するねじ山１１５を含む金属先端部１１４を受け入れるように配置されている。金属先端部１１４は、インクカートリッジの交換が可能となるよう取り外し可能である。
【０２１５】
フレックスＰＣＢ１１７上の３色状態ＬＥＤ１１６もカバー１０７内に実装されている。アンテナ１１２もフレックスＰＣＢ１１７上に実装されている。状態ＬＥＤ１１６は、全方位にわたる良好な視界のためにペン１０１の上部に実装されている。
【０２１６】
このペンは、通常のマーキング用インクペンとしても、また非マーキング用スタイラスとしても機能する。ペン先１１９を有するインクペンカートリッジ１１８と、スタイラスペン先１２１を有するスタイラス１２０とが、ハウジング１０２内に並べて実装されている。インクカートリッジペン先１１９かスタイラスペン先１２１かのいずれかを、ペン上部１０５を回転させることによって前方に動かして、金属先端部１１４の開口端１２２を通過させることができる。各スライダブロック（ｓｌｉｄｅｒ  ｂｌｏｃｋｓ）１２３及び１２４がそれぞれ、インクカートリッジ１１８及びスタイラス１２０に実装されている。回転可能なカムバレル（ｃａｍ  ｂａｒｒｅｌ）１２５が操作中ペン上部１０５に固定され、ペン上部１０５と共に回転するように配置される。カムバレル１２５は、カムバレルの壁１８１内にスロット状のカム１２６を備える。スライダブロック１２３及び１２４から突き出しているカム従動子１２７及び１２８は、カムスロット１２６内に適合する。カムバレル１２５が回転すると、スライダブロック１２３及び１２４が互いに相対運動をして、ペンのペン先１１９かスタイラスペン先１２１かいずれかが金属先端部１１４内の穴１２２を通って突き出る。このペン１０１の操作には、３つの状態がある。上部１０５を９０°の段階を経て回転させることによって、これらの３つの状態は、
・スタイラス１２０のペン先１２１が出ている状態、
・インクカートリッジ１１８のペン先１１９が出ている状態、及び
・インクカートリッジ１１８のペン先１１９もスタイラス１２０のペン先１２１も出ていない状態の３つである。
【０２１７】
第２のフレックスＰＣＢ１２９が、ハウジング１０２内にある電子機器シャーシ１３０上に実装されている。第２のフレックスＰＣＢ１２９には、表面への投影用に赤外線を放射する赤外線ＬＥＤ１３１が実装されている。表面からの反射された放射を受け取るイメージセンサ１３２が、第２のフレックスＰＣＢ１２９上に実装されている。第２のフレックスＰＣＢ１２９には、ＲＦ送信機及びＲＦ受信機を備える無線周波数チップ１３３、並びにペン１０１の操作を制御するためのコントローラチップ１３４も実装されている。光学ブロック１３５（透明な成形プラスチックから形成されている）がカバー１０７内にあり、表面に赤外線ビームを投影し画像を受け取ってイメージセンサ１３２へと送る。電源配線１３６は、第２のフレックスＰＣＢ１２９上の構成部品を、カムバレル１２５内に実装されている電池端子１３７に接続する。端子１３８は、電池端子１３７及びカムバレル１２５に接続する。３ボルトの充電式電池１３９が、電池端子と接触しているカムバレル１２５内にある。誘導による電池１３９の再充電を可能にするために、誘導充電コイル１４０が第２のフレックスＰＣＢ１２９の周りに実装されている。第２のフレックスＰＣＢ１２９には、ペンのペン先１１９又はスタイラスペン先１２１によって表面に加えられる力の決定を可能にするために、スタイラス１２０又はインクカートリッジ１１８を書込みに使用した場合にカムバレル１２５の変位を検出するための赤外線ＬＥＤ１４３及び赤外線フォトダイオード１４４も実装されている。赤外線ダイオード１４４は、スライダブロック１２３及び１２４上に実装されている反射体（図示せず）を介して赤外線ＬＥＤ１４３からの光を検出する。
【０２１８】
ペン１０１の握りを補助するためにハウジング１０２の端部１０８に向かってゴムグリップパッド１４１及び１４２が設けられており、上部１０５は、ペン１０１をポケットに挿すためのクリップ１４２を備える。
【０２１９】
３．２  ペンコントローラ
ペン１０１は、そのペン先（スタイラスペン先１２１又はインクカートリッジペン先１１９）の位置を、表面のペン先付近の領域を赤外スペクトルにおいて撮像することによって決定するように構成される。ペン１０１は、最も近い位置タグからの位置データを記録し、また光学系１３５及びコントローラチップ１３４を利用して位置タブからのペン先１２１又は１１９の距離を計算するように配置される。コントローラチップ１３４は、撮像したタグについて観測された透視ひずみからペンの向き及びペン先とタグとの距離を計算する。
【０２２０】
ＲＦチップ１３３及びアンテナ１１２を利用して、ペン１０１はデジタルインクデータ（安全のために暗号化され、効率的な送信パッケージ化されている）を計算システムに送信することができる。
【０２２１】
このペンが受信機の範囲内にある場合、デジタルインクデータは形成されたまま送信される。ペン１０１が範囲外に移動すると、デジタルインクデータはペン１０１内でバッファリングされ（ペン１０１の回路は、約１２分間の表面上でのペンの動きについてのデジタルインクデータを格納するように配置されたバッファを備える）、後に送信することができる。
【０２２２】
コントローラチップ１３４は、ペン１０１内の第２のフレックスＰＣＢ１２９上に実装されている。図８は、コントローラチップ１３４のアーキテクチャをより詳細に示すブロック図である。図８は、ＲＦチップ１３３、イメージセンサ１３２、３色状態ＬＥＤ１１６、赤外線照明ＬＥＤ１３１、赤外線力センサＬＥＤ１４３及び力センサフォトダイオード１４４の図も示す。
【０２２３】
ペンのコントローラチップ１３４は、制御プロセッサ１４５を備える。バス１４６により、コントローラチップ１３４の構成要素間でのデータの交換が可能となる。フラッシュメモリ１４７及び５１２ＫＢのＤＲＡＭ１４８も含まれる。アナログ−デジタル変換器１４９は、力センサフォトダイオード１４４からのアナログ信号をデジタル信号に変換するように構成される。
【０２２４】
イメージセンサインターフェース１５２は、イメージセンサ１３２と連動する。ＲＦ回路１５５と、アンテナ１１２と接続されているＲＦ共振器及びインダクタ１５６とを備えるＲＦチップ１３３と連動するように、送受信機コントローラ１５３及びベースバンド回路１５４も含まれている。
【０２２５】
制御プロセッサ１４５は、イメージセンサ１３２を介して表面からタグの位置データを捕らえ解読し、力センサフォトダイオード１４４を監視し、ＬＥＤ１１６、１３１及び１４３を制御し、無線送受信機１５３を介して短距離無線通信を処理する。制御プロセッサ１４５は、媒体性能（〜４０ＭＨｚ）汎用ＲＩＳＣプロセッサである。
【０２２６】
プロセッサ１４５、デジタル送受信機構成要素（送受信機コントローラ１５３及びベースバンド回路１５４）、イメージセンサインターフェース１５２、フラッシュメモリ１４７並びに５１２ＫＢのＤＲＡＭ１４８は、単一のコントローラＡＳＩＣに集積化されている。アナログＲＦ構成要素（ＲＦ回路１５５並びにＲＦ共振器及びインダクタ１５６）は、別個のＲＦチップに設けられている。
【０２２７】
イメージセンサは、ＣＣＤ又はＣＭＯＳイメージセンサである。タグ付けスキームに応じて、イメージセンサは約１００×１００画素〜２００×２００画素の範囲のサイズを有する。Ｎａｔｉｏｎａｌ  Ｓｅｍｉｃｏｎｄｕｃｔｏｒ  ＬＭ９６３０を含む多くの小型ＣＭＯＳイメージセンサが市販されている。
【０２２８】
コントローラＡＳＩＣ１３４は、ペン１０１が表面と接触していない場合には、非活動期間の後休止状態に入る。コントローラＡＳＩＣ１３４は、力センサフォトダイオード１４４を監視する専用の回路１５０を内蔵し、ペンダウンイベントの際パワーマネージャ１５１を介してコントローラ１３４を起こす。
【０２２９】
無線送受信機は、通常コードレス電話によって使用される無認可の９００ＭＨｚ帯で、或いは無認可の２．４ＧＨｚ産業科学医療（ＩＳＭ）帯で通信し、周波数ホッピング及び衝突検出を使用して干渉のない通信を提供する。
【０２３０】
代替実施形態では、ペンが、基地局又はネットページプリンタとの短距離通信用に赤外線通信協会（ＩｒＤＡ）のインターフェースを内蔵している。
【０２３１】
さらなる実施形態では、ペン１０１が、ペン１０１軸の法平面内に実装されている一対の直交加速度計を備える。加速度計１９０が図７及び図８に点線で示してある。
【０２３２】
加速度計を設けることにより、ペン１０１のこの実施形態は表面の位置タグに関係なく動きを感知することが可能となり、それにより位置タグをより低速でサンプリングすることが可能となる。次いで、各位置タグＩＤが、表面上の位置ではなく関心のあるオブジェクトを識別する。たとえば、オブジェクトがユーザインターフェース入力エレメント（たとえば、コマンドボタン）である場合、入力要素の領域内の各位置タグのタグＩＤが入力エレメントを直接識別することができる。
【０２３３】
ｘ及びｙ方向各々における加速度計によって測定された加速度を時間に対して積分して、瞬間速度及び位置を求める。
【０２３４】
ストロークの開始位置が既知でないため、ストローク内の相対位置のみが計算される。位置の積分により感知された加速度の誤差が累積されるが、加速度計は通常高い分解能を有し、誤差が蓄積するストローク時間は短い。
【０２３５】
３  ネットページプリンタの記述
３．１  プリンタの仕組み
垂直に実装されたネットページ壁掛けプリンタ６０１が、図９に完全に組み立てられて示してある。このプリンタは、図１０及び図１０ａに示すように、二重の８．５インチＭｅｍｊｅｔ（登録商標）プリントエンジン６０２及び６０３を用いて手紙／Ａ４サイズの媒体上にネットページを印刷する。このプリンタでは、フルカラーで完全な裁ち切りによりシートの両面を同時に印刷する二重のプリントエンジン６０２及び６０３を通過する用紙６０４と共に、真っすぐな用紙搬送路が使用される。
【０２３６】
一体型製本組立体６０５は、各印刷シートの１つの縁部に沿って糊をストライプ状に塗布し、それによりこの印刷シートは前回のシートに押し付けると付着することが可能となる。これにより、厚さが１シートから数百シートに及ぶことができる最終的な製本された文書６１８が作成される。
【０２３７】
二重プリントエンジンと結合している図１２に示す交換可能なカートリッジ６２７は、固着剤、接着剤、シアン、マゼンタ、イエロー、ブラック及び赤外インクを貯蔵するための溜め又は室を有する。このカートリッジは、ベースモールディング内にマイクロエアフィルタも含む。このマイクロエアフィルタは、ホース６３９を介してプリンタ内の空気ポンプ６３８と連動する。これによりプリントヘッドにろ過空気が提供されて、Ｍｅｍｊｅｔ（登録商標）プリントヘッド３５０への微粒子の侵入を防ぐが、そうでなければこれらの微粒子はプリントヘッドノズルを詰まらせることがある。エアフィルタをカートリッジ内に組み込むことによって、フィルタの動作寿命がカートリッジの寿命と効果的に関連付けられる。インクカートリッジは、３０００ページ（１５００シート）を印刷し糊で接着する能力を有する完全に再利用可能な製品である。
【０２３８】
図１０を参照すると、電動式媒体ピックアップローラ組立体６２６は、一番上のシートを媒体トレイから直接第１のプリンタエンジン６０２上の用紙センサを通過させ、二重のＭｅｍｊｅｔ（登録商標）プリントヘッド組立体へと押し込む。２つのＭｅｍｊｅｔ（登録商標）プリントエンジン６０２及び６０３は、真っすぐな用紙搬送路に沿って対向インライン順次構成で実装される。用紙６０４は、一体型動力ピックアップローラ６２６によって第１のプリントエンジン６０２に引き込まれる。用紙６０４の位置及び寸法が感知され、完全な裁ち切り印刷が開始する。固定剤が同時に印刷されて、可能な最短時間で乾燥を助ける。
【０２３９】
この用紙は、ゴム引きのローラに逆らって作用する一組の（真っすぐな用紙搬送路に沿って位置合わせされた）動力出口スパイクホイールを通って第１のＭｅｍｊｅｔ（登録商標）プリントエンジン６０２を出る。これらのスパイクホイールは、「湿った」印刷表面と接触し、シート６０４を第２のＭｅｍｊｅｔ（登録商標）プリントエンジン６０３へと供給し続ける。
【０２４０】
図１０及び１０ａを参照すると、用紙６０４は二重プリントエンジン６０２及び６０３から製本組立体６０５へと通過する。印刷ページは、繊維状の支持ローラを有する動力スパイクホイール軸６７０とスパイクホイール及び一時的に作用する糊ホイールを有する別の移動可能な軸との間を通過する。移動可能な軸／糊組立体６７３は、金属支持ブラケットに実装され、カム軸の作用によって歯車を介して動力軸６７０と連動するように前方へ運ばれる。別個のモータがこのカム軸に動力を供給する。
【０２４１】
糊ホイール組立体６７３は、インクカートリッジ６２７からの糊供給ホース６４１用の回転連結器と共に部分的に中空の軸６７９で構成される。この軸６７９は、放射状の穴を通る毛管作用によって接着剤を吸収する糊ホイールに接続する。成形ハウジング６８２は、開口が前面にある状態で糊ホイールを囲む。枢動側成形物及びバネ付き外側ドアが金属ブラケットに取り付けられ、組立体６７３の残りが前に押し出されると横向きに蝶番で外側に動く。この作用により、糊ホイールが成形ハウジング６８２の前面を通って露出される。引張ばねにより、組立体が閉じられ、非活動期間中には効果的に糊ホイールにふたがかぶせられる。
【０２４２】
シート６０４が糊ホイール組立体６７３に入ると、（文書の最初のシートから離れた）前面側の一方の鉛直方向縁部に接着剤が塗布され、というのは、シート６０４は下方に製本組立体６０５へと運ばれるからである。
【０２４３】
４  製品タグ付け
自動識別とは、バーコード、磁気ストライプカード、スマートカード、及びＲＦトランスポンダなどの技術を使用して、手動のキーイングなしでデータ処理システムに対してオブジェクトを（半）自動的に識別することを指す。
【０２４４】
自動識別の目的で、製品品目は一般に、印刷されたバーコードの形に機械で読み取り可能に符号化された１２桁の万国製品コード（ＵＰＣ）によって識別される。最も一般的なＵＰＣナンバリングシステムは、５桁の製造業者番号と５桁の品目番号とを組み込む。このシステムの精度には限界があるため、ＵＰＣは個々の製品品目ではなく製品の部類を識別するために使用される。Ｕｎｉｆｏｒｍ  Ｃｏｄｅ  Ｃｏｕｎｃｉｌ及びＥＡＮ  Ｉｎｔｅｒｎａｔｉｏｎａｌは、ＵＰＣと関連コードとを、１４桁のＧｌｏｂａｌ  Ｔｒａｄｅ  Ｉｔｅｍ  Ｎｕｍｂｅｒ（ＧＴＩＮ）サブセットとして定義し管理する。
【０２４５】
サプライチェーンマネージメント（ｓｕｐｐｐｌｙ  ｃｈａｉｎ  ｍａｎａｇｅｍｅｎｔ）の中では、ＵＰＣ体系を拡張して又は置き換えて、個々の製品品目を固有に識別しそれにより追跡することを可能にすることへの関心がかなり大きい。個々の品目のタグ付けにより、紛失品、盗難品又は仕損品による「シュリンケージ（ｓｈｒｉｎｋａｇｅ）」を低減し、需要駆動型製造及び供給の効率を向上させ、製品使用のプロファイリングを容易にし、且つカスタマーエクスペリエンス（ｃｕｓｔｏｍｅｒ  ｅｘｐｅｒｉｅｎｃｅ）向上させることができる。
【０２４６】
個々の品目のタグ付けには２つの主な候補、いわゆる２次元バーコードの形の光学タグ及び無線ＩＣ（ＲＦＩＤ）タグがある。ＲＦＩＤタグの詳細な説明については、その内容が相互参照により本明細書中に組み込まれるＫｌａｕｓ  Ｆｉｎｋｅｎｚｅｌｌｅｒ，ＲＦＩＤ  Ｈａｎｄｂｏｏｋ，Ｊｏｈｎ  Ｗｉｌｅｙ＆Ｓｏｎ（１９９９）を参照のこと。光学タグは安価であるという利点を有するが、読取りには光学的な視線が必要となる。ＲＦＩＤタグは全方向性の読取りをサポートするという利点を有するが、比較的高価である。金属又は液体の存在は、ＲＦＩＤタグの性能に著しく干渉し、それにより全方向性の読取りの利点が損なわれることがある。パッシブ（リーダにより動力が供給される）ＲＦＩＤタグは、２００３年末までに数百万の数量で１個１０セントの価格になり、その後すぐ１個５セントの価格になると予測されているが、食料雑貨などの低価格品目の１セント未満産業ターゲットにはまだ達していない。大部分の光学タグの読取り専用の性質も、不利な点として挙げられている。というのは、品目がサプライチェーンを経て進んだときに状態変化をタグに書き込むことができないからである。しかしながら、この不利な点は、読取り専用タグがネットワーク上に動的に保持されている情報を参照することができることによって緩和される。
【０２４７】
マサチューセッツ工科大学（ＭＩＴ）のＡｕｔｏ−ＩＤ  Ｃｅｎｔｅｒは、Ｉｎｔｅｒｎｅｔ−ｂａｓｅｄ  Ｏｂｊｅｃｔ  Ｎａｍｅ  Ｓｅｒｖｉｃｅ（ＯＮＳ）とＰｒｏｄｕｃｔ  Ｍａｒｋｕｐ  Ｌａｎｇｕａｇｅ（ＰＭＬ）とを加味した９６ビットのＥｌｅｃｔｒｏｎｉｃ  Ｐｒｏｄｕｃｔ  Ｃｏｄｅ（ＥＰＣ）についての標準規格を開発した。ＥＰＣを走査又はそうでなければ入手したら、そのＥＰＣを使用して、ＰＭＬで移植可能に符号化されたマッチング製品情報を、場合によりＯＮＳによって調べる。このＥＰＣは、８ビットのヘッダ、２８ビットのＥＰＣマネージャ、２４ビットのオブジェクトクラス、及び３６ビットのシリアル番号で構成され、ＥＰＣの詳細な説明については、その内容が相互参照により本明細書中に組み込まれるＢｒｏｃｋ，Ｄ．Ｌ．、Ｔｈｅ  Ｅｌｅｃｔｒｏｎｉｃ  Ｐｒｏｄｕｃｔ  Ｃｏｄｅ（ＥＰＣ）、ＭＩＴ  Ａｕｔｏ−ＩＤ  Ｃｅｎｔｅｒ（２００１年１月）を参照のこと。Ａｕｔｏ−ＩＤ  Ｃｅｎｔｅｒは、ＥＰＣへのＧＴＩＮのマッピングを定義して、ＥＰＣと現在の実務との互換性を実証し、その内容が相互参照により本明細書中に組み込まれるＢｒｏｃｋ，Ｄ．Ｌ．、Ｉｎｔｅｒｇｒａｔｉｎｇ  ｔｈｅ  Ｅｌｅｃｔｒｏｎｉｃ  Ｐｒｏｄｕｃｔ  Ｃｏｄｅ（ＥＰＣ）  ａｎｄ  ｔｈｅ  Ｇｌｏｂａｌ  Ｔｒａｄｅ  Ｉｔｅｍ  Ｎｕｍｂｅｒ（ＧＴＩＮ）、ＭＩＴ  Ａｕｔｏ−ＩＤ  Ｃｅｎｔｅｒ（２００１年１１月）を参照のこと。ＥＰＣは、ＥＰＣｇｌｏｂａｌ、ＥＡＮ−ＵＣＣ合弁事業によって管理されている。
【０２４８】
ＥＰＣは技術に関係なく、多くの形で符号化し持ち運ぶことができる。Ａｕｔｏ−ＩＤ  Ｃｅｎｔｅｒは、ＥＰＣを持ち運ぶために低コストのパッシブＲＦＩＤタグの使用を強く推奨し、ＲＦＩＤタグのコストを短期間で最小限に抑えることを可能にするためにＥＰＣの６４ビット版を定義した。低コストＲＦＩＤタグの特性の詳細な説明については、その内容が相互参照により本明細書中に組み込まれるＳａｒｍａ，Ｓ．，Ｔｏｗａｒｄｓ  ｔｈｅ  ５ｃ  Ｔａｇ，ＭＩＴ  Ａｕｔｏ−ＩＤ  Ｃｅｎｔｅｒ（２００１年１１月）を参照のこと。市販の低コストパッシブＲＦＩＤタグの説明については、その内容が相互参照により本明細書中に組み込まれる９１５ＭＨｚ  ＲＦＩＤ  Ｔａｇ，Ａｌｉｅｎ  Ｔｅｃｈｎｏｌｏｇｙ（２００２年）を参照のこと。６４ビットのＥＰＣの詳細な説明については、その内容が相互参照により本明細書中に組み込まれるＢｒｏｃｋ，Ｄ．Ｌ．，Ｔｈｅ  Ｃｏｍｐａｃｔ  Ｅｌｅｃｔｒｏｎｉｃ  Ｐｒｏｄｕｃｔ  Ｃｏｄｅ，ＭＩＴ  Ａｕｔｏ−ＩＤ  Ｃｅｎｔｅｒ（２００１年１１月）を参照のこと。
【０２４９】
ＥＰＣは、固有品目レベルのタグ付け及びトラッキングだけでなく、ケースレベルのタグ付け及びパレットレベルのタグ付け、並びにコンテナやトラックなど出荷及び輸送の他のロジスティックユニットのタグ付け向けである。分散ＰＭＬデータベースは、包装、出荷及び輸送階層における品目とより高レベルのコンテナとの間の動的関係を記録する。
【０２５０】
４．１  サプライチェーンにおけるオムニタグ付け
不可視（たとえば、赤外線）のタグ付けスキームを使用して固有に製品品目を認識することは、製品の包装又はラベルのグラフィクデザインに影響を及ぼすことなく製品の表面全体又はその重要な部分にタグ付けすることを可能にするという重要な利点を有する。製品の表面全体がタグ付けされた場合に、製品の向きによりその走査される能力が影響を受けることはない、すなわち、可視バーコードの視線の欠点のかなりの部分が排除される。さらに、タグは小型で大量に複製されるため、もはやラベルダメージにより走査が阻止されることはない。
【０２５１】
次いで、オムニタグ付けが、光学的に読取り可能な不可視タグで製品品目の表面の大部分を覆うことで構成される。各オムニタグは、そのタグが載っている製品品目を固有に認識する。このオムニタグは、品目の製品コード（たとえば、ＥＰＣ）を直接符号化することも、或いはデータベース検索により代わりに製品コードを認識する代理のＩＤを符号化することもできる。各オムニタグはまた、先に説明したネットページの双方向性の下流消費者利益を提供するために、製品品目の表面上のそれ自体の位置も任意選択で認識する。
【０２５２】
オムニタグは、デジタルプリンタを用いて製品の製造及び／又は包装時に適用される。これらのプリンタは、テキスト及びグラフィックスを他の手段によって印刷した後オムニタグを印刷するアドオン赤外線プリンタであっても、或いはオムニタグ、テキスト及びグラフィックスを同時に印刷する一体化されたカラー及び赤外線プリンタであってもよい。デジタル印刷されたテキスト及びグラフィックスは、ラベル又は包装についてのすべてを含むことができるが、可変部分のみで構成され、他の部分はやはり他の手段によって印刷されていてもよい。
【０２５３】
４．２  オムニタグ付け
図１３に示すように、製品の固有品目ＩＤ２１５は、特定の種類の固有オブジェクトＩＤ２１０と見ることができる。Ｅｌｅｃｔｒｏｎｉｃ  Ｐｒｏｄｕｃｔ  Ｃｏｄｅ（ＥＰＣ）２２０は、品目ＩＤ用の１つの新たな標準規格である。品目ＩＤは通常、製品ＩＤ２１４及びシリアル番号２１３で構成される。製品ＩＤは製品の部類を認識し、一方シリアル番号はその部類の特定インスタンス、すなわち個々の製品品目を認識する。製品ＩＤは通常、製造者番号２１１及び製品部類番号２１２で構成される。最も良く知られている製品ＩＤはＥＡＮ．ＵＣＣ万国製品コード（ＵＰＣ）２２１及びその変異形である。
【０２５４】
図１４に示すように、オムニタグ２０２はページＩＤ（又は領域ＩＤ）５０及び２次元（２Ｄ）位置８６を符号化する。領域ＩＤはタグを含む表面領域を認識し、位置は２次元領域内にあるタグの位置を認識する。問題となっている表面は物理的な製品品目２０１の表面であるため、製品品目の領域ＩＤと固有オブジェクトＩＤ２１０、より具体的には品目ＩＤ２１５との間に１対１のマッピングを定義することが有用である。しかしながら、このマッピングはオムニタグのユーティリティを危うくすることのない多対１であってもよいことに留意されたい。たとえば、製品品目の包装の各パネルが異なる領域ＩＤ５０を有することができる。逆に、オムニタグは品目ＩＤを直接符号化することができ、この場合領域ＩＤが、全般的なネットページ領域ＩＤ割り当てから品目ＩＤ割り当てが切り離されるよう適切に前置された品目ＩＤを含む。領域ＩＤは対応する表面領域を、この大域ネットページシステム内で認識される他のすべての表面領域から固有に区別することに留意されたい。
【０２５５】
品目ＩＤ２１５は、好ましくはＡｕｔｏ−ＩＤ  Ｃｅｎｔｅｒによって提案されたＥＰＣ２２０であり、というのは、このＥＰＣ２２０により、オムニタグとＥＰＣ搭載ＲＦＩＤタグとの間に直接の互換性が提供されるためである。
【０２５６】
図１４では、位置８６が任意選択なものとして示されている。これは、サプライチェーンにおけるオムニタグのユーティリティの多くが領域ＩＤ５０に由来し、特定の製品について必要ないのであれば位置は省略することができることを示すためである。
【０２５７】
ネットページシステムとの相互運用性のために、オムニタグ２０２はネットページタグ４である、すなわち、ネットページタグの論理構造、物理的レイアウト及び意味論を有する。
【０２５８】
ネットページペン１０１などのネットページセンシング装置は、オムニタグを撮像し解読すると、その視野内のタグの位置及び向きを使用し、これをタグ内で符号化された位置と組み合わせて、タグに対するそれ自体の位置を計算する。センシング装置をハイパーラベルリングされた（Ｈｙｐｅｒｏａｂｅｌｌｅｄ）表面領域に対して移動させると、それによりセンシング装置はそれ自体の動きを領域に対して追跡し、その時間で変化する経路を表すタイムスタンプされた一組の位置サンプルを生成することが可能である。センシング装置がペンである場合、経路は一連のストロークで構成され、各ストロークはペンが表面と接触すると開始し、ペンが表面との接触を断つと終了する。
【０２５９】
領域ＩＤに関与するページサーバ１０にストロークが転送されると、サーバは領域ＩＤによって鍵が掛けられた領域の記述を取り出し、この記述に関してストロークを解釈する。たとえば、この記述がハイパーリンクを含み、ストロークがハイパーリンクのゾーンと交差する場合、サーバはストロークをハイパーリンクの指定と解釈し、ハイパーリンクを有効にする。
【０２６０】
４．３  オムニタグ印刷
オムニタグプリンタは、製品の製造及び／又は組立て前、製造及び／又は組立て中、或いは製造及び／又は組立て後に製品のラベル、包装又は実際の表面上にオムニタグを印刷するデジタルプリンタである。オムニタグプリンタは、ネットページプリンタ６０１の特別な場合である。このオムニタグプリンタは、通常近赤外線吸収インクを用いて、表面上にオムニタグの連続パターンを印刷することができる。高速環境においては、このプリンタは、タグのレンダリングを加速させるハードウエアを備える。このハードウエアは通常、タグ位置などの可変タグデータのリアルタイムのリードソロモン符号化、及びプリントヘッドのドット解像度における実際のタグパターンのリアルタイムのテンプレートをベースとするレンダリングを含む。
【０２６１】
このプリンタは、テキスト及びグラフィックスを他の手段によって印刷した後オムニタグを印刷するアドオン赤外線プリンタであっても、或いはオムニタグ、テキスト及びグラフィックスを同時に印刷する一体化されたカラー及び赤外線プリンタであってもよい。デジタル印刷されたテキスト及びグラフィックスは、ラベル又は包装についてのすべてを含むことができるが、可変部分のみで構成され、他の部分はやはり他の手段によって印刷されていてもよい。したがって、赤外線及びブラック印刷機能を有するオムニタグプリンタは、従来の熱転写又はインクジェットプリンタなど、可変データ印刷に使用される既存のデジタルプリンタに取って代わることができる。
【０２６２】
以下の議論のために、品目ラベル上への印刷についての任意の言及は、一般に品目包装上への印刷を、又は品目表面上への直接印刷を含むものとする。さらに、品目ＩＤ２１５についての任意の言及は、領域ＩＤ５０（パネル当たりの領域ＩＤの一群）又はそのコンポーネントを含むものとする。
【０２６３】
このプリンタは通常、固定及び／又は可変テキスト及びグラフィックス並びにオムニタグに含めるための品目ＩＤをプリンタに供給するホストコンピュータによって制御される。このホストは、リアルタイムでプリンタを制御することができ、それにより印刷が進行するときにリアルタイムでプリンタにデータが提供される。最適化として、ホストは印刷開始前にプリンタに固定データを提供することができ、リアルタイムで可変データを提供するだけでよい。このプリンタは、ホストによって提供されるパラメータに基づき品目当たりの可変データを生成することができることもある。たとえば、ホストは印刷前に基本品目ＩＤをプリンタに提供することができ、またプリンタは単純に基本品目ＩＤをインクリメントして連続する品目ＩＤを生成することができる。或いは、インクカートリッジ内のメモリ又はプリンタに挿入されている他の記憶媒体が、固有品目ＩＤ源を提供することもでき、このような場合、プリンタは品目ＩＤの割り当てを、ホストによる記録のためにホストコンピュータに報告する。
【０２６４】
或いは、このプリンタは、固有ＩＤが先の製造ステップ中にラベルにある形で適用されたと仮定すると、その上にオムニタグが印刷されているラベルから既存の品目ＩＤを読み取ることができることもある。たとえば、品目ＩＤは、可視の２Ｄバーコードの形ですでに存在していてもよく、或いはＲＦＩＤタグ内で符号化することもできる。前者の場合、プリンタは光学バーコードスキャナを備えることができる。後者の場合、プリンタはＲＦＩＤリーダを備えることができる。
【０２６５】
このプリンタは、他の形で品目ＩＤをレンダリングすることができることもある。たとえば、プリンタは、２Ｄバーコードの形の品目ＩＤを印刷する、或いはＩＤバーコードの形の品目ＩＤの製品ＩＤ成分を印刷する、或いは書込み可能な又はライトワンス（ｗｒｉｔｅ−ｏｎｃｅ）ＲＦＩＤタグに品目ＩＤを書き込むことができることもある。
【０２６６】
４．４  オムニタグ走査
品目情報は通常、位置付けられた走査イベントに応えて、たとえば、品目を納入に当たり走査して在庫とする場合、品目を小売店の棚に設置する場合、及び品目を販売時に走査する場合に、製品サーバに流れる。ネットページペンで採用したような類似の又は同じ技術を用いて、レーザをベースとする２Ｄ走査も２Ｄ画像センサをベースとする走査も共に用いて、オムニタグ付けされた製品品目を走査するために、固定式スキャナも手持ち式スキャナも共に使用することができる。
【０２６７】
図１６に示すように、固定式スキャナ２５４も手持ち式スキャナ２５２も共に、スキャンデータを製品サーバ２５１に伝達する。製品サーバは、関連する製品サーバとデータを共有することができるピア製品サーバ（図示せず）に、又は製品アプリケーションサーバ２５０に製品品目イベントデータを伝達することができる。たとえば、小売店内での在庫の動きを小売店の製品サーバに局所的に記録することができるが、製造者の製品サーバは製品品目が売られると通知を受けることができる。
【０２６８】
４．５  オムニタグをベースとするネットページ相互作用
そのラベル、包装又は実際の表面がオムニタグ付けされた製品品目は、任意の他のネットページと同じレベルの双方向性を提供する。
【０２６９】
ネットページと互換性のある製品タグ付けについて述べるべき強い主張がある。ネットページは、任意の印刷表面を、ウェブページと類似の精細に区別されているグラフィカルユーザインターフェースに変え、また、製品の表面上に精密にマップする多くのアプリケーションがある。これらのアプリケーションには、様々な種類（栄養成分情報、調理指示、レシピ、関連製品、賞味期限、サービング指示、リコール通知）の製品情報を得ること、プレイングゲーム、参加競争、管理所有権（登録、盗難品の場合などにおけるクエリー、転送）、製品フィードバックを提供すること、メッセージング及び間接的装置制御が含まれる。一方、区別されていない２Ｄバーコード又はＲＦＩＤに搭載された品目ＩＤの場合においてなど、製品タグ付けが区別されていない場合、情報ナビゲーションの負担が情報配信装置に転送されるが、この情報配信装置は、ユーザエクスペリエンス（ｕｓｅｒ  ｅｘｐｅｒｉｅｎｃｅ）の複雑さ又は配信装置ユーザインターフェースの必要とされる精巧さを著しく増大させることがある。
【０２７０】
これから本発明を、以下の実施例に関して説明する。しかしながら、添付の特許請求の範囲に記載されている本発明の範囲から逸脱することなく本発明を他の多くの形で実施することができることがもちろん理解されよう。
【０２７１】
実施例
調製１
６，７−（４’−メトキシフェノキシ）ナフタレン−２，３−ジカルボニトリル（４）
【化６】
2009500460.tif 000009
ジメチルホルムアミド（１０ｍＬ）中の６，７−ジブロモナフタレン−２，３−ジカルボニトリル３（５０８ｍｇ、０．１５１ｍｏｌ）、４−メトキシフェノール（１．１２ｇ、９．００ｍｍｏｌ）及び乾燥したての炭酸カリウム（２．７０ｇ、１９ｍｍｏｌ）の混合物を、１３０℃で一晩撹拌した。この反応混合物を８０℃まで冷却し、水（６０ｍＬ）をゆっくりと添加して沈殿物を形成した。この沈殿物をろ過し、水及びメタノール／水（５０：５０）で洗浄して、チョコレート色の粉末（４８０ｍｇ、７５％）として４を得た。
１Ｈ  ＮＭＲ（３００ＭＨｚ，ＣＤＣｌ３）：δ３．８９（６Ｈ，ｓ）；７．０２（４Ｈ，ｄ，Ｊ＝７．８Ｈｚ）；７．１４（４Ｈ，ｄ，Ｊ＝７．８Ｈｚ）；７．１５（２Ｈ，ｓ）；８．０２（２Ｈ，ｓ）。
【０２７２】
実施例１
銅（ＩＩ）テトラキス［６，７−（４’−メトキシフェノキシ）］ナフタロシアニン（５）
【化７】
2009500460.tif 000010
１−ペンタノール（２ｍＬ）中のジニトリル４（２４０ｍｇ、０．５６８ｍｍｏｌ）、塩化銅（Ｉ）及びＤＢＵ（１３５μＬ、１３５ｍｇ、０．８８８ｍｍｏｌ）の混合物を、一晩還流加熱した。この反応混合物を室温まで冷却し、メタノール（２０ｍＬ）で希釈し、得られた固形物をろ過し、メタノール、水及びアセトンで洗浄して、赤褐色の粉末（２０１ｍｇ、８１％）として５を得た。
ＵＶ−Ｖｉｓ−ＮＩＲ（ＤＭＳＯ）：７７３ｎｍ。
【０２７３】
実施例２
銅（ＩＩ）テトラキス［６，７−（４’−メトキシフェノキシ）］ナフタロシアニンのスルホン化
【化８】
2009500460.tif 000011
銅（ＩＩ）ナフタロシアニン５（１１０ｍｇ、６２．７μｍｏｌ）の硫酸（９８％、１ｍＬ）溶液を、４５℃で４５分間撹拌した。この反応混合物を、エーテル／クロロホルム（９：１、１５０ｍＬ）に滴状添加して、生成物を沈殿させた。上澄みを静かに移し、固形物を再度エーテル／クロロホルム（９：１、１００ｍＬ）に懸濁させた。ろ過、その後のクロロホルム、エーテル及びアセトンによる洗浄により、赤褐色の粉末としてスルホン酸６（１４４ｍｇ、９６％）を得た。
ＵＶ−Ｖｉｓ−ＮＩＲ（ＤＭＳＯ）：７７５ｎｍ、６９０ｎｍ。
【０２７４】
実施例３
バナジルテトラキス［６，７−（４’−メトキシフェノキシ）］ナフタロシアニン（７）
【化９】
2009500460.tif 000012
１−ペンタノール（２ｍＬ）中のジニトリル４（２１３ｍｇ、０．５０３ｍｍｏｌ）、バナジルアセチルアセトネート（４５ｍｇ、０．１６９ｍｍｏｌ）及びＤＢＵ（１３０μＬ、１３０ｍｇ、０．８５４ｍｍｏｌ）の混合物を、一晩還流加熱した。この反応混合物を室温まで冷却し、メタノール（２０ｍＬ）で希釈した。得られた固形物をろ過し、メタノール、水及びアセトンで洗浄して、暗赤褐色の粉末（１８５ｍｇ、８４％）として７を得た。
ＵＶ−Ｖｉｓ−ＮＩＲ（ＤＭＳＯ，１０．８μＭ）：８０８ｎｍ（ε＝８４，０００）；７１８（ε＝１９，５００）。
【０２７５】
実施例４
バナジルテトラキス［６，７−（４’−メトキシフェノキシ）］ナフタロシアニンのスルホン化
【化１０】
2009500460.tif 000013
バナジルナフタロシアニン７（２３７ｍｇ、０．１３５ｍｍｏｌ）の硫酸（９８％、２ｍＬ）溶液を、５０℃で４５分間撹拌した。この反応混合物を、エーテル／クロロホルム（９：１、１５０ｍＬ）に滴状添加して、生成物を沈殿させた。上澄み液を静かに移し、固形物を再度エーテル／クロロホルム（９：１、１５０ｍＬ）に懸濁させた。ろ過、その後のクロロホルム、エーテル及びアセトンによる洗浄により、黒緑色の粉末として８（２４７ｍｇ、８１％）を得た。
ＵＶ−Ｖｉｓ−ＮＩＲ（ＤＭＳＯ）：８０８ｎｍ、７２０ｎｍ。
【図面の簡単な説明】
【０２７６】
【図１】図１は、見本の印刷ネットページとそのオンラインのページ記述との間の関係の図である。
【図２】図２は、ネットページペン、ウェブターミナル、ネットページプリンタ、ネットページ中継装置、ネットページページサーバ及びネットページアプリケーションサーバと、ウェブサーバとの間の相互作用の概略図である。
【図３】図３は、ネットワークを介して相互接続されているネットページサーバ、ウェブターミナル、プリンタ及び中継装置の一群を示す図である。
【図４】図４は、印刷ネットページ及びそのオンラインのページ記述の高レベル構造の概略図である。
【図５ａ】図５ａは、タグの４つの符号語の記号のインターリービング（ｉｎｔｅｒｌｅａｖｉｎｇ）及び回転を示す平面図である。
【図５ｂ】図５ｂは、図５ａに示すタグについてのマクロドットレイアウトを示す平面図である。
【図５ｃ】図５ｃは、ターゲットが隣接するタグ間で共有される、図５ａ及び図５ｂに示す９つのタグ配置を示す平面図である。
【図５ｄ】図５ｄは、図５ａに示すタグ一組と、ネットページペンの形のネットページセンシング装置の視野との関係を示す平面図である。
【図６】図６は、ネットページペン及びその関連するタグセンシング視野コーンの斜視図である。
【図７】図７は、図６に示すネットページペンの分解斜視図である。
【図８】図８は、図６及び図７に示すネットページペン用のペンコントローラの略ブロック図である。
【図９】図９は、壁掛けネットページプリンタの斜視図である。
【図１０】図１０は、図９のネットページプリンタの全長にわたる断面図である。
【図１０ａ】図１０ａは、二重プリントエンジン及び糊ホイールアセンブリの断面を示す図１０の拡大部分を示す図である。
【図１１】図１１は、図９及び図１０のネットページプリンタのインクカートリッジ、インク、空気及び糊の経路、並びに印刷エンジンの詳細図である。
【図１２】図１２は、インクカートリッジの分解図である。
【図１３】図１３は、品目ＩＤの構造の概略図である。
【図１４】図１４は、オムニタグの構造の概略図である。
【図１５】図１５は、ペンのクラス図の概略図である。
【図１６】図１６は、製品品目と、固定式製品スキャナと、手持ち式製品スキャナと、スキャナ中継装置と、製品サーバと、製品アプリケーションサーバとの間のスキャナ相互作用の概略図である。
【図１７】図１７は、二体型（ｂｉ−ｌｉｔｈｉｃ）プリントヘッドの斜視図である。
【図１８】図１８は、図１７の二体型プリントヘッドの分解斜視図である。
【図１９】図１９は、図１７の二体型プリントヘッドの一端の断面図である。
【図２０】図２０は、図１７の二体型プリントヘッド縦断面図である。
【図２１（ａ）】図２１（ａ）は、図１７の二体型プリントヘッドの側面図である。
【図２１（ｂ）】図２１（ｂ）は、図１７の二体型プリントヘッドの平面図である。
【図２１（ｃ）】図２１（ｃ）は、図１７の二体型プリントヘッドの反対側の側面図である。
【図２１（ｄ）】図２１（ｄ）は、図１７の二体型プリントヘッドの背面図である。
【図２２（ａ）】図２２（ａ）は、サーマル屈曲アクチュエータの基本動作原理を示す図である。
【図２２（ｂ）】図２２（ｂ）は、サーマル屈曲アクチュエータの基本動作原理を示す図である。
【図２２（ｃ）】図２２（ｃ）は、サーマル屈曲アクチュエータの基本動作原理を示す図である。
【図２３】図２３は、図２２に従って構成された単一のインクジェットノズル配置の三次元図である。
【図２４】図２４は、図２３に示すノズル配置のアレイを示す図である。
【図２５】図２５は、気泡形成加熱要素アクチュエータのユニットセルのインク室の概略断面図である。
【図１】
2009500460.tif 000018
【図２】
2009500460.tif 000019
【図３】
2009500460.tif 000020
【図４】
2009500460.tif 000021
【図５Ａ】
2009500460.tif 000022
【図５Ｂ】
2009500460.tif 000023
【図５Ｃ】
2009500460.tif 000024
【図５Ｄ】
2009500460.tif 000025
【図６】
2009500460.tif 000026
【図７】
2009500460.tif 000027
【図８】
2009500460.tif 000028
【図９】
2009500460.tif 000029
【図１０】
2009500460.tif 000030
【図１０Ａ】
2009500460.tif 000031
【図１１】
2009500460.tif 000032
【図１２】
2009500460.tif 000033
【図１３】
2009500460.tif 000034
【図１４】
2009500460.tif 000035
【図１５】
2009500460.tif 000036
【図１６】
2009500460.tif 000037
【図１７】
2009500460.tif 000038
【図１８】
2009500460.tif 000039
【図１９】
2009500460.tif 000040
【図２０】
2009500460.tif 000041
【図２１（Ａ）】
2009500460.tif 000042
【図２１（Ｂ）】
2009500460.tif 000043
【図２１（Ｃ）】
2009500460.tif 000044
【図２１（Ｄ）】
2009500460.tif 000045
【図２２（Ａ）】
2009500460.tif 000046
【図２２（Ｂ）】
2009500460.tif 000047
【図２２（Ｃ）】
2009500460.tif 000048
【図２３】
2009500460.tif 000049
【図２４】
2009500460.tif 000050
【図２５】
2009500460.tif 000051
【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】
式（Ｉ）：
【化１】
2009500460.tif 000052
（式中、
Ｍは金属基であるか、又は存在せず、
Ｒ１及びＲ２は独立に水素又はＣ１〜１２のアルコキシから選択され、
ＸはＯ、Ｓ又は−ＮＨ−から選択され、
Ａｒ１、Ａｒ２、Ａｒ３、Ａｒ４、Ａｒ５、Ａｒ６、Ａｒ７及びＡｒ８は、フェニル、ナフチル、ピリジル、フラニル、ピロリル、チオフェニルから選択され、Ａｒ１、Ａｒ２、Ａｒ３、Ａｒ４、Ａｒ５、Ａｒ６、Ａｒ７及びＡｒ８の各々は、１個、２個、３個、４個又は５個の基で任意選択で置換され、前記基又は各基は独立に、Ｃ１〜１２アルキル、Ｃ１〜１２アルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＳＯ２Ｒｖ、−ＯＳＯ２Ｒｖ、−ＮＨＣ（Ｏ）Ｒｖ、−ＣＯＮＲｕＲｖ、−ＣＯＮＲｕＲｖ、スルホン酸、スルホン酸塩及びスルホンアミドから選択され、
ｄは２〜５０００の整数であり、
ＲｄはＨ、Ｃ１〜８アルキル又はＣ（Ｏ）Ｃ１〜８アルキルであり、
Ｒｕ及びＲｖは独立に、水素、Ｃ１〜１２アルキル、フェニル又はフェニル−Ｃ１〜８アルキルから選択される）のナフタロシアニン染料。
【請求項２】
Ａｒ１、Ａｒ２、Ａｒ３、Ａｒ４、Ａｒ５、Ａｒ６、Ａｒ７及びＡｒ８のうち少なくとも１つが、スルホン酸、スルホン酸塩又はスルホンアミド基で置換される、請求項１に記載の染料。
【請求項３】
Ａｒ１、Ａｒ２、Ａｒ３、Ａｒ４、Ａｒ５、Ａｒ６、Ａｒ７及びＡｒ８のうち少なくとも１つが、スルホンアミド基又は−ＳＯ３Ｚ
（式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択される）で置換されている、請求項１に記載の染料。
【請求項４】
前記スルホンアミド基が式−ＳＯ２ＮＲｐＲｑ
（式中、
Ｒｐ及びＲｑは独立に、Ｈ、Ｃ１〜８アルキル、Ｃ６〜１２アリールアルキル、Ｃ６〜１２アリール又は−（ＣＨ２ＣＨ２Ｏ）ｅＲｅから選択され、
ｅは２〜５０００の整数であり、
ＲｅはＨ、Ｃ１〜８アルキル又はＣ（Ｏ）Ｃ１〜８アルキルである）である、請求項１に記載の染料。
【請求項５】
Ａｒ１、Ａｒ２、Ａｒ３、Ａｒ４、Ａｒ５、Ａｒ６、Ａｒ７及びＡｒ８の各々が、スルホン酸、スルホン酸塩又はスルホンアミド基で置換される、請求項１に記載の染料。
【請求項６】
式（ＩＩＩ）：
【化２】
2009500460.tif 000053
（式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択される）である、請求項５に記載の染料。
【請求項７】
各−ＳＯ３Ｚ基がパラ位にある、請求項６に記載の染料。
【請求項８】
式（ＩＶ）：
【化３】
2009500460.tif 000054
（式中、
ＺはＨ、Ｌｉ、Ｎａ、Ｋ又はＮ＋（Ｒｍ）（Ｒｎ）（Ｒｓ）（Ｒｔ）であり、
Ｒｍ、Ｒｎ、Ｒｓ、Ｒｔは同一でも異なっていてもよく、独立にＨ、Ｃ１〜８アルキル、Ｃ６〜１２アリールアルキル及びＣ６〜１２アリールから選択され、
Ｒ３は、Ｃ１〜１２アルキル、Ｃ１〜１２のアルコキシ、Ｃ１〜１２アリールアルキル、Ｃ１〜１２アリールアルコキシ、−（ＯＣＨ２ＣＨ２）ｄＯＲｄ、シアノ、ハロゲン、アミノ、ヒドロキシル、チオール、−ＳＲｖ、−ＮＲｕＲｖ、ニトロ、フェニル、フェノキシ、−ＣＯ２Ｒｖ、−Ｃ（Ｏ）Ｒｖ、−ＯＣＯＲｖ、−ＮＨＣ（Ｏ）Ｒｖ、−ＣＯＮＲｕＲｖ又は−ＣＯＮＲｕＲｖから選択される）である、請求項１に記載の染料。
【請求項９】
Ｒ３が、Ｃ１〜６アルキル又はＣ１〜６のアルコキシである、請求項８に記載の染料。
【請求項１０】
ＭがＳｎＣｌ２、Ｃｕ、Ｖ＝Ｏ又はＧａ（ＯＨ）である、請求項１に記載の染料。
【国際調査報告】
2009500460.tif 000055
2009500460.tif 000056
2009500460.tif 000057